(57)【要約】      （修正有）【課題】利用者が配信情報に関わる場所へ行く前にその利用者へその配信情報を配信する。【解決手段】情報配信システムは、移動体通信端末と情報配信装置とを備えている。この情報配信装置は、移動体通信端末に対し、通信ネットワークを通じて情報を選択的に配信するものであり、配信情報記憶手段、位置履歴情報記憶手段、配信情報選定手段及び情報送信手段を有する。上記位置履歴情報記憶手段は、移動体通信端末が過去に位置した場所を示す位置履歴情報を記憶する。上記配信情報選定手段は、位置履歴情報記憶手段から読み出した位置履歴情報に基づき、所定の選定条件に従って、その移動体通信端末へ送信すべき配信情報を選定する。上記情報送信手段は、配信情報選定手段が選定した配信情報をその移動体通信端末へ送信する。【選択図】図１
2006318294.tif 000002
【特許請求の範囲】
【請求項１】
移動体通信端末に対し、通信ネットワークを通じて情報を選択的に配信する情報配信装置において、
配信予定の配信情報を記憶する配信情報記憶手段と、
移動体通信端末が過去に位置した場所を示す位置履歴情報を記憶する位置履歴情報記憶手段と、
上記移動体通信端末の利用者の嗜好を特定するための嗜好特定情報を記憶する嗜好特定情報記憶手段と、
該位置履歴情報記憶手段から読み出した位置履歴情報と該嗜好特定情報記憶手段から読み出した嗜好特定情報とから決定される選定条件に従って、該移動体通信端末へ送信すべき配信情報を選定する配信情報選定手段と、
該配信情報選定手段が選定した配信情報を該移動体通信端末へ送信する情報送信手段とを有することを特徴とする情報配信装置。
【請求項２】
請求項１に記載の情報配信装置において、
上記位置履歴情報記憶手段に記憶される位置履歴情報は、該位置履歴情報が示す場所に上記移動体通信端末が位置した時刻を示す時刻情報に関連づけられており、
所定期間内の時刻を示す時刻情報に関連づけられた位置履歴情報を該位置履歴情報記憶手段から読み出し、読み出した位置履歴情報に基づいて該移動体通信端末の利用者の行動パターンを抽出する行動パターン抽出手段と、
該行動パターン抽出手段が抽出した行動パターンから、上記配信情報選定手段が選定する配信情報に関わる配信情報関連場所へ該移動体通信端末が移動すると推測される時刻を認定する移動時刻認定手段とを有し、
上記情報送信手段は、該移動時刻認定手段が認定した時刻の所定時間前に該配信情報を該移動体通信端末へ送信することを特徴とする情報配信装置。
【請求項３】
請求項１に記載の情報配信装置において、
上記情報送信手段が送信する上記配信情報の送信タイミングを、該配信情報の内容に応じて決定する送信タイミング決定手段を有し、
上記情報送信手段は、該送信タイミング決定手段が決定した送信タイミングで、該配信情報を送信することを特徴とする情報配信装置。
【請求項４】
請求項１又は３に記載の情報配信装置において、
上記情報送信手段は、上記配信情報選定手段が選定した配信情報を、上記移動体通信端末へ送信する代わりに、該移動体通信端末とは別の移動体通信端末へ送信することを特徴とする情報配信装置。
【請求項５】
請求項４に記載の情報配信装置において、
複数の移動体通信端末が属するグループを特定するグループ特定情報を記憶するグループ特定情報記憶手段を有し、
上記情報送信手段は、上記グループ特定情報記憶手段から上記移動体通信端末が属するグループ特定情報を読み出し、上記配信情報選定手段が選定した配信情報を、該グループ特定情報により特定されるグループに属する他の移動体通信端末へ送信することを特徴とする情報配信装置。
【請求項６】
請求項１から請求項５のいずれかに記載の情報配信装置において、
上記利用者が購入した商品又は提供を受けたサービスを特定するための購入提供履歴情報を取得する購入提供履歴情報取得手段と、
該購入提供履歴情報取得手段が取得した購入提供履歴情報を、上記嗜好特定情報として上記嗜好特定情報記憶手段に保存する購入提供履歴情報保存手段とを有することを特徴とする情報配信装置。
【請求項７】
請求項６に記載の情報配信装置において、
上記購入提供履歴情報取得手段が取得した購入提供履歴情報に係る商品又はサービスが、過去に上記情報送信手段により送信した配信情報に関わるものであるか否かを判断し、その判断結果に基づいて、上記選定条件を補正する選定条件補正手段を有することを特徴とする情報配信装置。
【請求項８】
請求項１から請求項５のいずれかに記載の情報配信装置において、
上記利用者が配信を希望する配信情報を特定するための配信希望情報を取得する配信希望情報取得手段と、
該配信希望情報取得手段が取得した配信希望情報を、上記嗜好特定情報として上記嗜好特定情報記憶手段に保存する配信希望情報保存手段とを有することを特徴とする情報配信装置。
【請求項９】
移動体通信端末に対し、通信ネットワークを通じて情報を選択的に配信する情報配信装置において、
配信予定の配信情報を記憶する配信情報記憶手段と、
移動体通信端末が過去に位置した場所を示す位置履歴情報を記憶する位置履歴情報記憶手段と、
上記配信情報記憶手段に記憶された配信情報のうち、該位置履歴情報記憶手段に記憶された上記移動体通信端末に係る位置履歴情報から決定される選定条件に従って、送信すべき配信情報を選定する配信情報選定手段と、
該配信情報選定手段が選定した配信情報を、該移動体通信端末とは別の移動体通信端末へ送信する情報送信手段とを有することを特徴とする情報配信装置。
【請求項１０】
請求項９に記載の情報配信装置において、
複数の移動体通信端末が属するグループを特定するグループ特定情報を記憶するグループ特定情報記憶手段を有し、
上記情報送信手段は、上記グループ特定情報記憶手段から上記移動体通信端末が属するグループ特定情報を読み出し、上記配信情報選定手段が選定した配信情報を、該グループ特定情報により特定されるグループに属する他の移動体通信端末へ送信することを特徴とする情報配信装置。
【請求項１１】
請求項１から請求項１０のいずれかに記載の情報配信装置において、
上記移動体通信端末から上記通信ネットワークを通じて送信されてくる上記位置履歴情報を受信して、これを上記位置履歴情報記憶手段に保存する位置履歴情報受信保存手段を有することを特徴とする情報配信装置。
【請求項１２】
請求項１から請求項１１までのいずれかに記載の情報配信装置において、
上記配信情報選定手段は、上記位置履歴情報記憶手段から読み出した位置履歴情報に基づいて所定の移動予測地域抽出条件に従って上記移動体通信端末が移動すると予測される移動予測地域を抽出し、抽出した移動予測地域内の場所に関わる情報であることを上記選定条件として、該移動体通信端末へ送信すべき配信情報を選定することを特徴とする情報配信装置。
【請求項１３】
移動体通信端末に対し、通信ネットワークを通じて情報を選択的に配信する情報配信装置において、
配信予定の配信情報を記憶する配信情報記憶手段と、
移動体通信端末の利用者の嗜好を特定するための嗜好特定情報を記憶する嗜好特定情報記憶手段と、
上記配信情報記憶手段に記憶された配信情報のうち、該嗜好特定情報記憶手段に記憶された該利用者に係る嗜好特定情報から決定される選定条件に従って、送信すべき配信情報を選定する配信情報選定手段と、
該配信情報選定手段が選定した配信情報を、該移動体通信端末とは別の移動体通信端末へ送信する情報送信手段とを有することを特徴とする情報配信装置。
【請求項１４】
請求項１３に記載の情報配信装置において、
複数の移動体通信端末が属するグループを特定するグループ特定情報を記憶するグループ特定情報記憶手段を有し、
上記情報送信手段は、上記グループ特定情報記憶手段から上記移動体通信端末が属するグループ特定情報を読み出し、上記配信情報選定手段が選定した配信情報を、該グループ特定情報により特定されるグループに属する他の移動体通信端末へ送信することを特徴とする情報配信装置。
【請求項１５】
請求項１３又は１４に記載の情報配信装置において、
上記利用者が購入した商品又は提供を受けたサービスを特定するための購入提供履歴情報を取得する購入提供履歴情報取得手段と、
該購入提供履歴情報取得手段が取得した購入提供履歴情報を、上記嗜好特定情報として上記嗜好特定情報記憶手段に保存する購入提供履歴情報保存手段とを有することを特徴とする情報配信装置。
【請求項１６】
請求項１５に記載の情報配信装置において、
上記購入提供履歴情報取得手段が取得した購入提供履歴情報に係る商品又はサービスが、過去に上記情報送信手段により送信した配信情報に関わるものであるか否かを判断し、その判断結果に基づいて、上記選定条件を補正する選定条件補正手段を有することを特徴とする情報配信装置。
【請求項１７】
請求項１３又は１４に記載の情報配信装置において、
上記利用者が配信を希望する配信情報を特定するための配信希望情報を取得する配信希望情報取得手段と、
該配信希望情報取得手段が取得した配信希望情報を、上記嗜好特定情報として上記嗜好特定情報記憶手段に保存する配信希望情報保存手段とを有することを特徴とする情報配信装置。
【請求項１８】
請求項９から請求項１７までのいずれかに記載の情報配信装置において、
上記情報送信手段が送信する上記配信情報の送信タイミングを、該配信情報の内容に応じて決定する送信タイミング決定手段を有し、
上記情報送信手段は、該送信タイミング決定手段が決定した送信タイミングで、該配信情報を送信することを特徴とする情報配信装置。
【請求項１９】
移動体通信端末に対し、通信ネットワークを通じて情報を選択的に配信する情報配信装置において、
配信予定の配信情報を記憶する配信情報記憶手段と、
移動体通信端末が過去に位置した場所を示す位置履歴情報を記憶する位置履歴情報記憶手段と、
該位置履歴情報記憶手段から読み出した位置履歴情報に基づき、所定の移動予測地域抽出条件に従って上記移動体通信端末が移動すると予測される移動予測地域を抽出し、抽出した移動予測地域内の場所に関わる情報であることを選定条件として、該移動体通信端末へ送信すべき配信情報を選定する配信情報選定手段と、
該配信情報選定手段が選定した配信情報を該移動体通信端末へ送信する情報送信手段とを有することを特徴とする情報配信装置。
【請求項２０】
移動体通信端末と、移動体通信端末に対し、通信ネットワークを通じて情報を選択的に配信する情報配信装置とを備えた情報配信システムにおいて、
上記情報配信装置として、請求項１から請求項１９のいずれかに記載の情報配信装置を用いることを特徴とする情報配信システム。
【発明の詳細な説明】
【技術分野】
【０００１】
本発明は、移動体通信端末と、この移動体通信端末に対し、通信ネットワークを通じて情報を選択的に配信する情報配信装置とを備えた情報配信システム、及び、このシステムに用いられる情報配信装置に関するものである。
【背景技術】
【０００２】
従来から、移動体通信端末に対し、配信予定の配信情報を利用者ごとに選別して、配信情報を一方的に配信する情報配信サービスが実施されている。この情報配信サービスによる情報配信を受ければ、移動体通信端末の利用者は、いちいち情報提供サイト等にアクセスして入手したい情報を検索し取得するという作業を行わなくても、様々な情報を入手することが可能となる。しかも、配信情報を利用者ごとに適切に選別して選択的に配信すれば、配信情報をなんら選別せずに配信する場合に比べ、利用者にとって不要な情報が配信される事態の発生を抑制することが可能となる。
【０００３】
このような情報配信サービスの提供する情報配信システムとしては、例えば、特許文献１に記載されたものが知られている。このシステムは、各利用者の現在位置情報と過去の購入履歴とに基づいて、その利用者が居る商店で販売されている商品についての情報の中から、その利用者が興味を示しそうな情報を選別し、選択的に配信するというものである。このシステムでは、各利用者の現在位置によってその利用者に配信する情報を絞り込むので、各利用者は自分が現在居る商店等の場所に関する情報のみを受けることができる。その結果、自分が現在居ない場所に関する情報が各利用者へ配信されることがなくなる。
【０００４】
【特許文献１】特開２００３−６５１２号公報
【発明の開示】
【発明が解決しようとする課題】
【０００５】
ところが、上記特許文献１に記載のシステムでは、利用者は、自分が実際に配信情報に関わる場所まで行かないと、その配信情報を入手することができない。そのため、利用者が配信情報に関わる場所へ行く前にその配信情報を予め入手しておくことができないという問題があった。その結果、例えば、利用者に配信される情報が商品の特売情報である場合、利用者がその商店に行ったときにたまたま十分なお金を所持していなかったときには、一旦その商店を離れてお金を取りに行き、もう一度その商店に戻ってきてその商品を購入するというような面倒な事態が起こり得る。また、利用者に配信される情報が現在開催されているイベントの情報である場合、利用者がそのイベント会場に行ってそのイベントの情報を入手しても、たまたま時間がなくて参加できないという事態も起こり得る。
【０００６】
また、上記特許文献１に記載のシステムにおいては、移動体通信端末へ配信する情報の選別は、その移動体通信端末の利用者の嗜好情報に基づいて行うものであった。そのため、その移動体通信端末の利用者が他人の嗜好情報に基づいて選別された情報を入手することはできなかった。しかし、他人の嗜好情報に基づいて選別された情報を入手できるようなシステムが実現されれば、利用者に対し、今までにない新たな情報提供サービスを提供することが可能になる。
【０００７】
本発明は、上記問題に鑑みなされたものであり、第１の目的は、利用者が配信情報に関わる場所へ行く前にその配信情報を入手し得る情報配信システム及び情報配信装置を提供することである。
また、第２の目的は、利用者に対し、自分以外の他人の情報に基づいて選別された配信情報が配信されるという今までにない新たな情報提供サービスを実現することが可能な情報配信システム及び情報配信装置を提供することである。
【課題を解決するための手段】
【０００８】
上記第１の目的を達成するために、請求項１の発明は、移動体通信端末に対し、通信ネットワークを通じて情報を選択的に配信する情報配信装置において、配信予定の配信情報を記憶する配信情報記憶手段と、移動体通信端末が過去に位置した場所を示す位置履歴情報を記憶する位置履歴情報記憶手段と、上記移動体通信端末の利用者の嗜好を特定するための嗜好特定情報を記憶する嗜好特定情報記憶手段と、該位置履歴情報記憶手段から読み出した位置履歴情報と該嗜好特定情報記憶手段から読み出した嗜好特定情報とから決定される選定条件に従って、該移動体通信端末へ送信すべき配信情報を選定する配信情報選定手段と、該配信情報選定手段が選定した配信情報を該移動体通信端末へ送信する情報送信手段とを有することを特徴とするものである。
また、請求項２の発明は、請求項１に記載の情報配信装置において、上記位置履歴情報記憶手段に記憶される位置履歴情報は、該位置履歴情報が示す場所に上記移動体通信端末が位置した時刻を示す時刻情報に関連づけられており、所定期間内の時刻を示す時刻情報に関連づけられた位置履歴情報を該位置履歴情報記憶手段から読み出し、読み出した位置履歴情報に基づいて該移動体通信端末の利用者の行動パターンを抽出する行動パターン抽出手段と、該行動パターン抽出手段が抽出した行動パターンから、上記配信情報選定手段が選定する配信情報に関わる配信情報関連場所へ該移動体通信端末が移動すると推測される時刻を認定する移動時刻認定手段とを有し、上記情報送信手段は、該移動時刻認定手段が認定した時刻の所定時間前に該配信情報を該移動体通信端末へ送信することを特徴とするものである。
また、請求項３の発明は、請求項１に記載の情報配信装置において、上記情報送信手段が送信する上記配信情報の送信タイミングを、該配信情報の内容に応じて決定する送信タイミング決定手段を有し、上記情報送信手段は、該送信タイミング決定手段が決定した送信タイミングで、該配信情報を送信することを特徴とするものである。
上記第２の目的を達成するために、請求項４の発明は、請求項１又は３に記載の情報配信装置において、上記情報送信手段は、上記配信情報選定手段が選定した配信情報を、上記移動体通信端末へ送信する代わりに、該移動体通信端末とは別の移動体通信端末へ送信することを特徴とするものである。
また、請求項５の発明は、請求項４に記載の情報配信装置において、複数の移動体通信端末が属するグループを特定するグループ特定情報を記憶するグループ特定情報記憶手段を有し、上記情報送信手段は、上記グループ特定情報記憶手段から上記移動体通信端末が属するグループ特定情報を読み出し、上記配信情報選定手段が選定した配信情報を、該グループ特定情報により特定されるグループに属する他の移動体通信端末へ送信することを特徴とするものである。
請求項６の発明は、請求項１から請求項５のいずれかに記載の情報配信装置において、上記利用者が購入した商品又は提供を受けたサービスを特定するための購入提供履歴情報を取得する購入提供履歴情報取得手段と、該購入提供履歴情報取得手段が取得した購入提供履歴情報を、上記嗜好特定情報として上記嗜好特定情報記憶手段に保存する購入提供履歴情報保存手段とを有することを特徴とするものである。
請求項７の発明は、請求項６に記載の情報配信装置において、上記購入提供履歴情報取得手段が取得した購入提供履歴情報に係る商品又はサービスが、過去に上記情報送信手段により送信した配信情報に関わるものであるか否かを判断し、その判断結果に基づいて、上記選定条件を補正する選定条件補正手段を有することを特徴とするものである。
請求項８の発明は、請求項１から請求項５のいずれかに記載の情報配信装置において、上記利用者が配信を希望する配信情報を特定するための配信希望情報を取得する配信希望情報取得手段と、該配信希望情報取得手段が取得した配信希望情報を、上記嗜好特定情報として上記嗜好特定情報記憶手段に保存する配信希望情報保存手段とを有することを特徴とするものである。
上記第２の目的を達成するために、請求項９の発明は、移動体通信端末に対し、通信ネットワークを通じて情報を選択的に配信する情報配信装置において、配信予定の配信情報を記憶する配信情報記憶手段と、移動体通信端末が過去に位置した場所を示す位置履歴情報を記憶する位置履歴情報記憶手段と、上記配信情報記憶手段に記憶された配信情報のうち、該位置履歴情報記憶手段に記憶された上記移動体通信端末に係る位置履歴情報から決定される選定条件に従って、送信すべき配信情報を選定する配信情報選定手段と、該配信情報選定手段が選定した配信情報を、該移動体通信端末とは別の移動体通信端末へ送信する情報送信手段とを有することを特徴とするものである。
また、請求項１０の発明は、請求項９に記載の情報配信装置において、複数の移動体通信端末が属するグループを特定するグループ特定情報を記憶するグループ特定情報記憶手段を有し、上記情報送信手段は、上記グループ特定情報記憶手段から上記移動体通信端末が属するグループ特定情報を読み出し、上記配信情報選定手段が選定した配信情報を、該グループ特定情報により特定されるグループに属する他の移動体通信端末へ送信することを特徴とするものである。
請求項１１の発明は、請求項１から請求項１０のいずれかに記載の情報配信装置において、上記移動体通信端末から上記通信ネットワークを通じて送信されてくる上記位置履歴情報を受信して、これを上記位置履歴情報記憶手段に保存する位置履歴情報受信保存手段を有することを特徴とするものである。
請求項１２の発明は、請求項１から請求項１１までのいずれかに記載の情報配信装置において、上記配信情報選定手段は、上記位置履歴情報記憶手段から読み出した位置履歴情報に基づいて所定の移動予測地域抽出条件に従って上記移動体通信端末が移動すると予測される移動予測地域を抽出し、抽出した移動予測地域内の場所に関わる情報であることを上記選定条件として、該移動体通信端末へ送信すべき配信情報を選定することを特徴とするものである。
上記第２の目的を達成するために、請求項１３の発明は、移動体通信端末に対し、通信ネットワークを通じて情報を選択的に配信する情報配信装置において、配信予定の配信情報を記憶する配信情報記憶手段と、移動体通信端末の利用者の嗜好を特定するための嗜好特定情報を記憶する嗜好特定情報記憶手段と、上記配信情報記憶手段に記憶された配信情報のうち、該嗜好特定情報記憶手段に記憶された該利用者に係る嗜好特定情報から決定される選定条件に従って、送信すべき配信情報を選定する配信情報選定手段と、該配信情報選定手段が選定した配信情報を、該移動体通信端末とは別の移動体通信端末へ送信する情報送信手段とを有することを特徴とするものである。
また、請求項１４の発明は、請求項１３に記載の情報配信装置において、複数の移動体通信端末が属するグループを特定するグループ特定情報を記憶するグループ特定情報記憶手段を有し、上記情報送信手段は、上記グループ特定情報記憶手段から上記移動体通信端末が属するグループ特定情報を読み出し、上記配信情報選定手段が選定した配信情報を、該グループ特定情報により特定されるグループに属する他の移動体通信端末へ送信することを特徴とするものである。
また、請求項１５の発明は、請求項１３又は１４に記載の情報配信装置において、上記利用者が購入した商品又は提供を受けたサービスを特定するための購入提供履歴情報を取得する購入提供履歴情報取得手段と、該購入提供履歴情報取得手段が取得した購入提供履歴情報を、上記嗜好特定情報として上記嗜好特定情報記憶手段に保存する購入提供履歴情報保存手段とを有することを特徴とするものである。
また、請求項１６の発明は、請求項１５に記載の情報配信装置において、上記購入提供履歴情報取得手段が取得した購入提供履歴情報に係る商品又はサービスが、過去に上記情報送信手段により送信した配信情報に関わるものであるか否かを判断し、その判断結果に基づいて、上記選定条件を補正する選定条件補正手段を有することを特徴とするものである。
また、請求項１７の発明は、請求項１３又は１４に記載の情報配信装置において、上記利用者が配信を希望する配信情報を特定するための配信希望情報を取得する配信希望情報取得手段と、該配信希望情報取得手段が取得した配信希望情報を、上記嗜好特定情報として上記嗜好特定情報記憶手段に保存する配信希望情報保存手段とを有することを特徴とするものである。
請求項１８の発明は、請求項９から請求項１７までのいずれかに記載の情報配信装置において、上記情報送信手段が送信する上記配信情報の送信タイミングを、該配信情報の内容に応じて決定する送信タイミング決定手段を有し、上記情報送信手段は、該送信タイミング決定手段が決定した送信タイミングで、該配信情報を送信することを特徴とするものである。
上記第１の目的を達成するために、請求項１９の発明は、移動体通信端末に対し、通信ネットワークを通じて情報を選択的に配信する情報配信装置において、配信予定の配信情報を記憶する配信情報記憶手段と、移動体通信端末が過去に位置した場所を示す位置履歴情報を記憶する位置履歴情報記憶手段と、該位置履歴情報記憶手段から読み出した位置履歴情報に基づき、所定の移動予測地域抽出条件に従って上記移動体通信端末が移動すると予測される移動予測地域を抽出し、抽出した移動予測地域内の場所に関わる情報であることを選定条件として、該移動体通信端末へ送信すべき配信情報を選定する配信情報選定手段と、該配信情報選定手段が選定した配信情報を該移動体通信端末へ送信する情報送信手段とを有することを特徴とするものである。
請求項２０の発明は、移動体通信端末と、移動体通信端末に対し、通信ネットワークを通じて情報を選択的に配信する情報配信装置とを備えた情報配信システムにおいて、上記情報配信装置として、請求項１から請求項１９のいずれかに記載の情報配信装置を用いることを特徴とするものである。
【０００９】
請求項１及び請求項１９に記載の情報配信装置においては、移動体通信端末が過去に位置した場所を示す位置履歴情報から決定される選定条件に従って、その移動体通信端末へ送信すべき配信情報が選定される。このような位置履歴情報があれば、その位置履歴情報からその利用者の行動を予測することが可能になる。よって、利用者の行動予測に合致した配信情報をその利用者の移動体通信端末へ選択的に配信することが可能となる。したがって、利用者がこれから行くと予想される場所に関わる配信情報を、その利用者が実際にその場所に行く前に予め配信することが可能となる。
特に、請求項１に記載の情報配信装置によれば、上記選定条件を、上記位置履歴情報のほか、配信先となる移動体通信端末の利用者の嗜好を特定するための嗜好特定情報からも決定するので、利用者に不要な配信情報がその利用者の移動体通信端末に配信される事態の発生も抑制される。
【００１０】
請求項４及び請求項９に記載の情報配信装置においては、情報が配信される利用者へ配信する配信情報が、他人の移動体通信端末に係る位置履歴情報から決定される選定条件に従って選定される。よって、情報が配信される移動体通信端末の利用者に対し、他人の行動予測に合致した配信情報を配信することが可能になる。
【００１１】
請求項４及び請求項１３に記載の情報配信装置においては、情報が配信される利用者へ配信する配信情報が、他人の嗜好特定情報から決定される選定条件に従って選定される。よって、情報が配信される移動体通信端末の利用者に対し、他人の嗜好に合致した配信情報を配信することが可能になる。
【発明の効果】
【００１２】
以上、請求項１及び１９に記載の発明並びにこれらの請求項に従属する請求項に記載の発明によれば、利用者がこれから行くと予想される場所に関わる配信情報を、その利用者が実際にその場所に行く前に予め配信することが可能となるので、利用者は配信情報に関わる場所へ行く前にその配信情報を入手し得るという優れた効果が奏される。
また、請求項４及び９に記載の発明並びにこれらの請求項に従属する請求項に記載の発明によれば、利用者に対し、自分以外の他人の行動予測に合致した配信情報が配信されるという今までにない新たな情報提供サービスを実現することが可能となるという優れた効果が奏される。
また、請求項４及び１３に記載の発明並びにこれらの請求項に従属する請求項に記載の発明によれば、利用者に対し、自分以外の他人の嗜好に合致した配信情報が配信されるという今までにない新たな情報提供サービスを実現することが可能となるという優れた効果が奏される。
【発明を実施するための最良の形態】
【００１３】
〔実施形態１〕
以下、本発明を移動体通信端末としての携帯電話機と、その携帯電話機に対して情報を配信する情報配信装置とを含む情報配信システムに適用した一実施形態（以下、本実施形態を「実施形態１」という。）について説明する。
図１は、本実施形態１に係る情報配信システム全体の概略構成図である。
この情報配信システムは、携帯電話機１０と、通信ネットワークとしての携帯電話通信網２０と、携帯電話通信網２０に接続された情報配信装置としての情報提供サーバ３０とを備えている。携帯電話通信網２０は、携帯電話機１０と直接無線通信する基地局２１のほか、図示しない交換機、専用線、ルータ、ファイヤーウォール等で構成されている。また、この携帯電話通信網２０には、情報提供サーバ３０のほか、位置登録サーバ４０も設けられている。各サーバ３０，４０は、単体のコンピュータ装置で構成してもよいし、複数の機能をそれぞれ受け持つ複数台のコンピュータをネットワークで結んで構成してもよい。
【００１４】
上記携帯電話機１０は、ＧＰＳ（Global Positioning System）位置情報、エリア位置情報及び施設位置情報からなる３種類の位置情報を取得することができる。上記ＧＰＳ位置情報は、携帯電話機１０が位置する現在位置を示すＧＰＳ位置情報（緯度、経度、高度）であり、携帯電話機１０がＧＰＳ用の人工衛星（以下、「ＧＰＳ衛星」という。）６０から受信したＧＰＳ信号に基づいて算出される。上記エリア位置情報は、携帯電話機１０が在圏する通信管理エリアに関するエリア位置情報であり、位置登録サーバ４０から受信して取得される。このエリア位置情報としては、基地局２１が管轄するセルを識別するためのセルＩＤ、基地局２１の所在地、基地局２１の識別情報等が挙げられる。上記施設位置情報は、利用者の通過又は滞在が可能な駅の改札等の各種施設の位置を特定可能な施設位置情報である。この施設位置情報は、利用者が施設を通過したり施設に滞在したりしたときに、その施設に設置された利用検知用の通信端末装置と携帯電話機１０との間で通信を行うことによって取得することができる。図１中の例では、通信端末装置が駅の改札ゲート装置７０の場合を示している。利用者が改札ゲート装置７０に近づくこと又は利用者が携帯電話機１０を改札ゲート装置７０の通信アンテナ部７１にかざすこと等により、利用者の携帯電話機１０が、この改札ゲート装置７０の通信アンテナ部７１と通信可能な範囲内に位置すると、改札ゲート装置７０と携帯電話機１０との間の双方向の通信により鉄道利用のための認証が実行され、利用者は改札を通過することができる。この通信により、携帯電話機１０は、どの駅の改札から入ったかあるいはどの駅の改札から出たかを示す施設位置情報を取得することができる。
【００１５】
上記情報提供サーバ３０は、各管理エリアの基地局２１から所定の通信チャンネルによって、地域情報、該当する管理エリアの位置情報（緯度、経度、所在地）、コンテンツ情報等の各種配信情報を配信する。このように各種配信情報が送信されている通信チャンネルについて、携帯電話機１０が所定のタイミングで受信動作を実行することにより、その通信チャンネルで送信されている情報を取得し内部メモリに保存することができる。各通信チャンネルに対する受信動作は、予め初期設定で設定されているタイミングや、利用者が設定したタイミングで実行することができる。
特に、管理エリアの位置情報が配信される通信チャンネルについては、携帯電話機１０の電源ＯＮ時、予め初期設定で設定されている定期的なタイミング、及び携帯電話機１０の位置する管理エリアが変わったタイミングに受信動作を実行する。この受信動作により、各携帯電話機１０は、その携帯電話機１０が存在している管理エリアの位置情報（緯度、経度、所在地）を常に最新の情報に更新することができる。
【００１６】
また、上記情報提供サーバ３０は、利用者情報と各種位置情報（位置履歴情報）と日付時刻情報とを互いに対応付けて保存した位置履歴データベース（位置履歴情報記憶手段）を備えている。そして、情報提供サーバ３０は、携帯電話機１０から送信されてきた各種位置情報のデータを受信し、位置履歴データベースに累積的に保存する。情報提供サーバ３０は、位置履歴データベースに記憶された各種位置情報等に基づいて、各利用者の携帯電話機１０へ送信すべき配信情報を携帯電話機ごとに選別し、選別した配信情報を各利用者の携帯電話機へ配信する処理を実行する。この情報の選別方法についての詳細は後述する。
【００１７】
上記位置登録サーバ４０は、各携帯電話機１０が位置している現在位置の情報すなわち各携帯電話機１０が位置している管理エリアの位置情報を登録して管理するサーバである。この管理エリアは、各携帯電話機と無線通信する基地局２１が管轄する一つのセルからなるエリアであっていいし、隣接する複数のセルを一つのグループとして管理されるエリアであってもよい。一つの管理エリアの典型的なサイズは数ｋｍ〜数百ｍである。上記位置登録サーバ４０に対する各携帯電話機１０の位置登録は、電源ＯＮ時に、定期的に、及び携帯電話機１０が位置するセルが変わるたびに行われる。
【００１８】
図２は、上記情報提供サーバ３０を構成する各手段の関係を示す機能ブロック図である。
この情報提供サーバ３０は、システムバス、ＣＰＵ、ＲＡＭやＲＯＭ等からなる内部メモリ、ハードディスクドライブ（ＨＤＤ）や光ディスクドライブ等からなる外部記憶装置、各携帯電話機１０と通信するための携帯電話通信網用の通信装置等を備えている。この情報提供サーバ３０は、ＣＰＵ等からなるハードウェア上で所定のプログラムを実行することにより、位置履歴情報記憶手段３０１、情報受信手段３０２、情報保存手段３０３、嗜好特定情報記憶手段３０４、配信情報選定手段３０５、情報送信手段３０６、配信情報記憶手段３０７等の各機能を実現している。情報受信手段３０２及び情報保存手段３０３は位置履歴情報受信保存手段として機能し、情報受信手段３０２は配信希望情報取得手段としても機能し、情報保存手段３０３は配信希望情報保存手段としても機能する。
【００１９】
上記位置履歴情報記憶手段３０１は、ＣＰＵ、内部メモリ、外部記憶装置等で構成され、各携帯電話機１０が過去に位置した場所を示す位置履歴情報を記憶して管理するように位置履歴データベースを構築している。
表１は、位置履歴情報記憶手段３０１に記憶されているデータテーブルの一例を示している。このデータテーブルは、利用者（ＵＩＤ：User ID）ごとに、日付時刻データに対応付けて記憶した、利用者の携帯電話機１０から受信した各種位置情報のデータの例である。この例では、施設位置情報（鉄道・路線・駅・改札の情報）、ＧＰＳ位置情報及びエリア位置情報（基地局所在地）の３種類の位置情報を記憶している。
【表１】
2006318294.tif 000003
【００２０】
上記情報受信手段３０２は、携帯電話通信網用の通信装置及びＣＰＵ等で構成され、各携帯電話機１０で取得されたＧＰＳ位置情報、エリア位置情報及び施設位置情報の少なくとも一つの情報を、その情報を取得したときの日付時刻情報とともに、携帯電話通信網２０を介して携帯電話機１０から受信する。
表２は、情報受信手段３０２が携帯電話機１０から受信する施設位置情報のデータの例を示している。この施設位置情報は、利用者が駅の改札を通過するときに携帯電話機１０で取得された施設位置情報としての鉄道会社名、路線名、駅名、改札口等のデータを含む。
表３は、情報受信手段３０２が携帯電話機１０から受信するＧＰＳ位置情報及びエリア位置情報のデータの例であり、ＧＰＳ位置情報としての緯度、経度及び高度のデータと、エリア位置情報としての基地局の所在地のデータとを含む。
【表２】
2006318294.tif 000004
【表３】
2006318294.tif 000005
【００２１】
また、上記情報受信手段３０２は、各携帯電話機１０の利用者が配信を希望する配信情報を特定するための配信希望情報を、携帯電話通信網２０を介して各携帯電話機１０や他のパソコン等の通信端末から受信する。この配信希望情報は、情報提供サーバ３０にとっては、その利用者の嗜好を特定するための嗜好特定情報として用いられる。この配信希望情報によりその利用者が配信を希望する配信情報を特定できるので、この配信情報はその利用者の嗜好に合致した情報とみなすことができる。配信希望情報としては、例えば、特売に関する情報だけの配信を希望する旨の情報、イベントに関する情報だけの配信を希望する旨の情報、食べ物に関する情報だけの配信を希望する旨の情報、これらの情報の組合せなどが挙げられる。
【００２２】
上記情報保存手段３０３は、ＣＰＵ等で構成され、利用者を識別する利用者識別情報と、上記情報受信手段３０２で受信したＧＰＳ位置情報、エリア位置情報及び施設位置情報の少なくとも一つの情報と、その情報を取得したときの日付時刻情報とを互いに関連付けて、上記位置履歴情報記憶手段３０１に追加保存する。
また、上記情報保存手段３０３は、上記情報受信手段３０２で受信した配信希望情報を、その利用者の利用者識別情報に関連づけて、上記嗜好特定情報記憶手段３０４に保存する。
【００２３】
上記嗜好特定情報記憶手段３０４は、ＣＰＵ、内部メモリ、外部記憶装置等で構成され、各携帯電話機１０からの配信希望情報を記憶して管理するように配信希望情報データベースを構築している。
上記配信情報選定手段３０５は、ＣＰＵ等で構成され、位置履歴情報記憶手段３０１に記憶されている各種位置情報等及び嗜好特定情報記憶手段３０４に記憶されている配信希望情報から決定される選定条件に従って、配信情報記憶手段３０７に記憶された配信情報の中から、各利用者の携帯電話機１０へ送信すべき配信情報を利用者ごと選定する。具体的には、上記配信情報選定手段３０５は、配信情報記憶手段３０７に記憶された配信情報の中から、各種位置情報等に基づいて選定した情報のうち配信希望情報に合致した配信情報を選定するか、配信希望情報に合致した配信情報のうち各種位置情報等に基づいて選定された情報を選定する。
【００２４】
上記情報送信手段３０６は、携帯電話通信網用の通信装置及びＣＰＵ等で構成され、上記配信情報選定手段３０５で選定された配信情報を、携帯電話通信網２０を介して、各携帯電話機１０に送信する。
上記配信情報記憶手段３０７は、ＣＰＵ、内部メモリ、外部記憶装置等で構成され、配信予定の配信情報を記憶して管理する。この配信情報記憶手段３０７に記憶される配信情報は、天気予報情報、店舗や販売施設などにおける特売情報、新商品の情報、新規店舗のオープン情報、イベント施設で提供されるイベントの情報、求人情報など、利用者にとって有益と思われるあらゆる情報が含まれる。ただし、本実施形態１の配信情報は、その配信情報に関する場所情報が含まれた場所関連情報である。この場所情報は、例えば配信情報が天気予報情報である場合、その天気予報情報が天気を予測した場所を示す情報であり、例えば配信情報が特売情報である場合、その特売情報に係る商品やサービスを提供する場所を示す情報である。また、例えば配信情報が新商品の情報である場合には、その新商品を販売する場所を示す情報であり、例えば配信情報が新規店舗のオープン情報である場合には、その新規店舗の場所を示す情報であり、例えば配信情報がイベントの情報である場合には、そのイベントが提供されるイベント施設の場所を示す情報である。また、例えば配信情報が求人情報である場合には、その求人情報に係る会社等の所在地を示す情報である。
【００２５】
図３は、本実施形態で用いる携帯電話機１０のハードウェア構成の一例を示すブロック図である。
この携帯電話機１０は、制御部１１１、内部メモリ１１２、通信手段としての無線通信部１１３及びアンテナ１１４を備えている。また、制御部１１１には、音声処理部１１５を介して音入力手段としてのマイク１１６及び音出力手段としてのスピーカ１１７が接続され、画像処理部１１８を介して表示部１１９が接続され、更にキー操作部１２０が接続されている。また、この携帯電話機１０は、計時手段としての時計部１２５と、ＧＰＳ位置情報取得手段としてのＧＰＳ受信部１３０及びそのアンテナ１３１と、施設位置情報取得手段としての近距離用無線通信部１４０及びそのアンテナ１４１とを備えている。
【００２６】
上記制御部１１１は、例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。
上記内部メモリ１１２は、例えばＲＡＭやＲＯＭなどの半導体メモリで構成され、制御部１１１で実行する制御プログラムや各種データを記憶するものである。
上記無線通信部１１４は、制御部１１１で制御され、アンテナ１１４を介して、所定の通信方式により携帯電話通信網２０の基地局２１との間で無線通信を行うものである。この無線通信により、特定の携帯電話機等との間で音声電話通信を行ったり、電子メールの送受信や上記情報提供サーバ３０から送信された情報の受信のためのデータ通信を行ったりすることができる。
上記音声処理部１１５は、マイク１１６から入力された送話音声信号を所定方式で符号化して制御部１１１に送る。また、この音声処理部１１５は、無線通信部１１３で受信した受話音声信号を復号化してスピーカ１１７から出力する。
上記画像処理部１１８は、無線通信部１１３で受信した画像データや、内部メモリ１１２に記憶されているアイコンやメニュー等の画像データを処理し、液晶ディスプレイ（ＬＣＤ）等からなる表示部１１９に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
上記時計部１２５は、クロック回路等で構成され、正確な日時を計数し、日付や時刻のデータを出力する。この時計部１２５の出力は、携帯電話機１０の位置情報の取得時に用いたり、位置情報と一緒に保存する日付時刻情報としても用いられる。
【００２７】
上記ＧＰＳ受信部１３０は、地球の周りに配置されている複数のＧＰＳ衛星６０から電波を受信し、その受信結果に基づいて携帯電話機１０が位置する緯度、経度及び高度のデータを算出する。ＧＰＳ受信部１３０は、例えば、電波の受信信号から目的の周波数成分を抽出するフィルター部、所定の周波数成分の受信信号からＧＰＳ信号を抽出する復調回路部、信号解読に用いるプログラムやコードデータを記憶した記憶部、各部を制御するとともにＧＰＳ信号を解読して位置情報や精度情報を求める制御・演算処理部等により構成される。
【００２８】
上記ＧＰＳ衛星６０は、地球上の約２万ｋｍの高度に位置する昇交点経度が６０度おきとなる６種類の軌道面ごとに、４個以上（合計で２４個以上）配置され、１２時間の周期で地球の周りをまわっている。この周回運動により、毎日同じ時刻に同じＧＰＳ衛星６０がやってくるようになり、地球上のどの地点からも常に最低４個以上（通常５乃至６個）のＧＰＳ衛星６０が見えるようになっており、ＧＰＳ衛星６０の位置情報は地上に５カ所ある監視局で厳密に管理されている。ＧＰＳ衛星６０にはセシウム（Ｃｓ）やルビジウム（Ｒｂ）等の原子時計（発振器）が搭載されており、正確な時刻が刻まれている。発振器の周波数は１０．２３ＭＨｚであり、クロックはそれを１／１０に分周して得ており、各ＧＰＳ衛星の時刻も正確に同期されている。
ＧＰＳ衛星６０からは１５７５．４２ＭＨｚ（Ｌ１）、１２２７．６０ＭＨｚ（Ｌ２）の２つの周波数の電波が約１ｍｓの間隔で繰り返し送信されている。この電波は、所定コードの疑似ランダム符号（Pseudo Random Noise Code）と呼ばれる乱数符号で変調されている。携帯電話機１０で受信したときは、乱数表に相当するコードを参照し、信号内容を解読する。そして、そのコードと携帯電話機１０の時計部から出力される時刻データとに基づいて、ＧＰＳ衛星６０から電波発射された時刻と携帯電話機１０で受信した時刻との信号の時間差を計測する。そして、この時間差に電波の伝播速度を掛ければ、ＧＰＳ衛星６０から携帯電話機１０までの距離（＝伝播速度×時間差）がわかる。また、ＧＰＳ衛星６０からは、軌道の正確な情報が送られてくるので、ＧＰＳ衛星６０の現在位置を正確に知ることができる。従って、ＧＰＳ衛星６０からの距離が分かれば、携帯電話機１０はＧＰＳ衛星６０を中心として求めた距離を半径とする球面上のどこかにいることが分かる。二つのＧＰＳ衛星６０からの電波を受信できれば、二つの球面が求まり、携帯電話機１０の位置は二つの球が交わる円周上のどこかになる。三つのＧＰＳ衛星６０からの電波を受信できる場合は、三つの球面が交わる２点のうちの何れか一方の位置が携帯電話機１０の位置である。２点のうち一方は、予測できる位置からかけ離れているので捨て去ることができるので、原理的には一点が決定される。
【００２９】
ところが、実際には計算された答え（三つの面の交点）は、測定誤差によって２点にならない。この測定誤差の多くは、携帯電話機１０に搭載された時計の精度にある。ＧＰＳ衛星６０の時計は原子時計であるが、携帯電話機１０に搭載された時計の精度は原子時計に比べてはるかに劣る。このため、時間差の計算値に大きな誤差を生じてしまう。そこで、ＧＰＳではＧＰＳ衛星をもう一つ、つまり４つ目のＧＰＳ衛星からの電波を受信する。これは次のように考えることができる。すなわち、３つのＧＰＳ衛星の情報（方程式）からＸＹＺの三つの未知数を求めようとしたときに受信側の携帯電話機１０内の時計の誤差分という別の未知数があるために計算ができなかったのを、新たな情報（方程式）を導入することで解決する、という考え方である。４つのＧＰＳ衛星からの電波を受信することにより、ＧＰＳでは一点に収束するほぼ正確な位置を求めることができる。また、残された誤差は、ＧＰＳ衛星からの情報内容に含まれるものと、電波がＧＰＳ衛星から携帯電話機１０に到達するまでの大気の擾乱などによる誤差である。前者のＧＰＳ衛星からの情報については、当初、Ｓ／Ａ（Selective Availability）という民間利用向けには敢えて誤差を付加する操作が行われていたが、２０００年５月に解除され、現在では誰もが誤差の少ない情報を入手できる。また、ＧＰＳ衛星からは、後者の電離層による遅延量の補正のためのデータも送られてくるほか、受信側の携帯電話機１０で二つの周波数の電波を受信することで補正することができる。電離層による電波伝搬遅延量は周波数に反比例することがわかっているためである。
上記ＧＰＳ受信部１３０は、このように補正された携帯電話機の位置情報（緯度、経度、高度）のデータを算出して出力する。
【００３０】
上記ＧＰＳ位置情報の精度情報であるＧＰＳ測位精度は、「ＤＯＰ（Dilution of Precision）」や「２ｄｒｍｓ（2×distance root mean square）」等で表現することができる。
上記ＤＯＰは「精度低下率」とも呼ばれ、ＧＰＳ測位精度の劣化の指標となる数値である。このＤＯＰの値が小さいほど精度が高いことを意味する。上述のように、ＧＰＳ測位は通常４個以上のＧＰＳ衛星を使って行われるが、そのときのＧＰＳ衛星の配置状態によって測位精度が大きく左右される。このＧＰＳ衛星の配置状態によってＤＯＰの値が決定される。例えば、ＧＰＳ衛星が均等にばらけて位置していれば、上記ＤＯＰの値は小さくなってＧＰＳ測位精度は高くなり、逆にＧＰＳ衛星が一箇所に偏って位置していれば、上記ＤＯＰの値が大きくなってＧＰＳ測位精度は低くなる。
上記ＤＯＰの値は、次式で算出することができる。ここで、式中のｌ、ｍ、ｎはそれぞれ、地球上の計測点からＧＰＳ衛星に向かう単位長ベクトルの各座標軸ｘ、ｙ、ｚ方向への方向余弦である。ｋは可視ＧＰＳ衛星の数である。２σは各添え字方向への誤差の拡大係数である。
【数１】
2006318294.tif 000006
【００３１】
上記２ｄｒｍｓの場合は、その値が小さいほど高精度を意味する。ＧＰＳ受信機を一つの決まった場所に設置して連続して測位するとき、ランダムな測距誤差が入ることで、測位点は１つに定まらない。このランダム誤差にＨＤＯＰの２倍を掛け合わせたものが２ｄｒｍｓである。ここで、真の測位点を中心とした半径２ｄｒｍｓの円内に、散らばった全ての測位点の約９５％が入るといわれている。
【００３２】
なお、本実施形態では、上記ＤＯＰの値を精度情報として用い、ＤＯＰの値が３以下の場合における位置精度の表記を「Ａ」（良好）とし、ＤＯＰの値が３よりも大きい場合における位置精度の表記を［Ｂ」（普通）としている。
【００３３】
なお、これまでに述べたＧＰＳの位置測定法は、一台のＧＰＳ受信機（携帯電話機）だけで独立して位置を求める「単独測位」と呼ばれるものである。測定精度をさらに高めるために、測定点とは別の位置にある外部受信装置で補正値を計算してそのデータを基に実際の測定値を補正するようにしてもよい。この補正法は、単独測位に対して「相対測位（Ｄ−ＧＰＳ）」などと呼ばれている。具体的な補正の方法としては、ＧＰＳ衛星からの搬送波の位相を求めるなど様々な方法がある。「単独測位」の精度は１０ｍ内外であるが、「相対測位（Ｄ−ＧＰＳ）」による補正をすれば、最高では１ｃｍ程度の精度まで高めることができる。この場合、上記外部受信装置として、ＧＰＳアンテナを搭載した携帯電話通信網内の機器（例えば基地局）を用いるようにしてもよい。
【００３４】
上記近距離用無線通信部１４０は、携帯電話機１０に着脱可能に設けたり内部に組み込んだりすることができるＩＣカードやＩＣチップ等を用いて構成され、各種施設に設置された改札ゲート装置７０等の通信端末装置との間で所定の通信方式で通信する。通信方式としては各種の方式を採用することできる。例えば、ブルートゥース等の電波を用いた近距離無線通信方式や、赤外線を用いた通信方式等を採用することができる。また、近距離用無線通信部１４０が通信する通信対象の通信端末装置としては、図１に示した改札ゲート装置７０のほか、バスなどの中にある運賃収受機や乗車口カード読み取り装置、駅やイベント会場等の発券装置、金融機関等の自動現金支払装置、店舗などのレジ装置、高速道路のＥＴＣの基地局などが挙げられる。
【００３５】
図４は、本実施形態の携帯電話機１０を構成する各手段の関係を示す機能ブロック図である。
携帯電話機１０は、図３に示すハードウェア上で所定のプログラムを実行することにより、情報記憶手段１０１と、ＧＰＳ位置情報取得手段１０２と、エリア位置情報取得手段１０３と、施設位置情報取得手段１０４と、情報保存手段１０５と、情報送信手段１０６、情報受信手段１０７、情報処理手段１０８、情報報知手段１０９の各機能を実現している。
【００３６】
上記情報記憶手段１０１は、内部メモリ１１２等で構成され、上述の表２及び３で示したようなＧＰＳ位置情報、エリア位置情報及び施設位置情報等の各種情報を記憶する。
上記ＧＰＳ位置情報取得手段１０２は、制御部１１１、時計部１２５、ＧＰＳ受信部１３０、アンテナ１３１等で構成され、ＧＰＳ衛星６０から電波を受信し、その電波の受信結果に基づいてＧＰＳ位置情報を取得する。
上記エリア位置情報取得手段１０３は、制御部１１１、時計部１２５、無線通信部１１３、アンテナ１１４等で構成され、携帯電話機１０が在圏する通信管理エリアに関する基地局所在地やセルＩＤ等のエリア位置情報を取得する。
上記施設位置情報取得手段１０４は、制御部１１１、時計部１２５、近距離用無線通信部１４０、アンテナ１４１等で構成され、上記改札ゲート装置７０等の通信端末装置との間で通信を行うことにより、その通信端末装置から施設の位置を特定可能な施設位置情報を取得する。
上記情報保存手段１０５は、制御部１１１、時計部１２５等で構成され、ＧＰＳ位置情報取得手段１０２で取得したＧＰＳ位置情報、エリア位置情報取得手段１０３で取得したエリア位置情報及び施設位置情報取得手段１０４で取得した施設位置情報をそれぞれ、その情報を取得したときの日付時刻情報に対応付けて情報記憶手段１０１に保存する。
上記情報送信手段１０６は、制御部１１１、時計部１２５、無線通信部１１３、アンテナ１１４等で構成され、情報記憶手段１０１に保存したＧＰＳ位置情報、エリア位置情報及び施設位置情報の少なくとも一つの情報を、その情報を取得したときの日付時刻情報とともに、携帯電話通信網２０を介して情報提供サーバ３０に送信する。
上記情報受信手段１０７は、制御部１１１、無線通信部１１３、アンテナ１１４等で構成され、情報提供サーバ３０から携帯電話通信網２０を介して送信されてくる配信情報を受信する。
上記情報処理手段１０８は、制御部１１１、画像処理部１１８等で構成され、上記情報受信手段１０７が受信した配信情報を情報報知手段１０９により報知させるための情報処理を行う。なお、配信情報が音を含むものである場合、上記情報処理手段１０８は、更に音声処理部１１５によっても構成される。
上記情報報知手段１０９は、表示部１１９等で構成され、配信情報に基づく画面を表示部１１９に表示することにより、配信情報を報知する。なお、配信情報が音を含むものである場合、上記情報報知手段１０９は、更にスピーカ１１７によっても構成される。
【００３７】
図５は、上記構成の携帯電話機１０における位置情報を取得して送信する動作の一例を示すフローチャートである。
なお、この利用者の携帯電話機１０の位置情報を情報提供サーバ３０に送信して管理するサービスは、そのサービス利用に関する承諾を予め利用者から受けた状態で提供される。
【００３８】
図５において、携帯電話機１０の電源がＯＮになった後、位置情報取得送信モードが選択されているときは次のように動作する。まず、各種施設に固定配置されている改札ゲート装置７０等の通信端末装置との間の通信があったか否かを優先的に判定する（Ｓ１）。ここで、上記通信端末装置との間の通信があったときは、その通信によって通信端末装置から受信した施設位置情報を内部メモリ１１２に保存するとともに情報提供サーバ３０に送信する（Ｓ２）。
次に、ＧＰＳ位置情報を取得するタイミングか否かを判定する（Ｓ３）。例えば、ＧＰＳ位置情報の取得タイミングとして所定の時間間隔（例えば１分間隔）のタイミングを設定しておき、時計部１２５から出力される時刻データが取得タイミングになったか否かを判定する。
上記ＧＰＳ位置情報の取得タイミングの場合は、ＧＰＳ位置情報取得手段１０２を構成するＧＰＳ受信部１３０の出力に基づいて、ＧＰＳ衛星６０からの電波を所定の強度で受信可能な状態か否かを判定する（Ｓ４）。
ここで、ＧＰＳ衛星６０からの電波を所定の強度で受信可能な状態であると判定した場合は、ＧＰＳ衛星６０から受信した電波の受信信号に基づいてＧＰＳ位置情報（緯度、経度、高度）を算出して取得し、内部メモリ１１２に保存するとともに情報提供サーバ３０に送信する（Ｓ５）。更に、エリア位置情報取得手段１０３によりエリア位置情報（基地局所在地）を取得し、内部メモリ１１２に保存するとともに情報提供サーバ３０に送信する（Ｓ６）。
一方、ＧＰＳ衛星６０からの電波を所定の強度で受信可能な状態でないと判定した場合は、ＧＰＳ位置情報の取得を行わず、エリア位置情報取得手段１０３によりエリア位置情報（基地局所在地）を取得し、内部メモリ１１２に保存するとともに情報提供サーバ３０に送信する（Ｓ７）。[s1]
【００３９】
なお、携帯電話機１０でＧＰＳ位置情報を取得できたが、そのＧＰＳ位置情報を情報提供サーバ３０に送信する際に携帯電話機１０が圏外となって携帯電話機１０と情報提供サーバ３０との通信ができない状態になった場合には、携帯電話機１０が圏内となって携帯電話機１０と情報提供サーバ３０との通信が可能な状態になるまで待ち、通信可能な状態になった時点で、そのＧＰＳ位置情報を情報提供サーバ３０に送信する。なお、ＧＰＳ位置情報以外のエリア位置情報や日付時刻情報などをその情報を情報提供サーバ３０等の他の装置へ送信する場合も、同様に、その情報送信時に通信できない状態のときには通信可能な状態になるのを待って、通信可能な状態になった時点で、その情報を送信するようにする。
また、図５の例では、各位置情報の取得及び保存を実行したときに、その都度、各位置情報を情報提供サーバ３０に送信しているが、一定の時間帯の間、各位置情報の取得及び保存を連続して複数回実行した後、複数の位置情報を情報提供サーバ３０に一括送信するようにしてもよい。この場合は、各位置情報の取得及び保存のたびに送信する場合に比して通信負荷の増加を抑えることができる。
【００４０】
次に、本発明の特徴部分である、情報提供サーバ３０における配信情報処理について説明する。
本実施形態１における情報提供システムの情報配信サービスは、利用者の携帯電話機１０の過去の位置情報の履歴である位置履歴情報及びその利用者の嗜好を特定するための嗜好特定情報から決定される選定条件に従って、その携帯電話機１０へ送信すべき配信情報を選定し、配信するというものである。利用者の携帯電話機１０の位置履歴情報及び嗜好特定情報はその利用者の個人情報に該当する可能性があるので、このサービスを利用する利用者から、その利用者の携帯電話機の位置履歴情報及び嗜好特定情報を利用する旨の承諾を予め受けておく。
【００４１】
図６は、情報提供サーバ３０が行う配信情報処理のフローチャートである。
まず、情報提供サーバ３０の配信情報選定手段３０５は、配信情報記憶手段３０７に記憶されている配信情報を読み出し（Ｓ１１）、その配信情報から場所情報を抽出する（Ｓ１２）。次に、配信情報選定手段３０５は、位置履歴情報記憶手段（位置履歴データベース）３０１を参照し、抽出した場所情報が示す場所又はその近傍に繰り返し行ったことのある利用者を抽出する（Ｓ１３）。具体的に説明すると、位置履歴情報記憶手段３０１には、上述したように、各利用者の位置履歴情報が利用者ごとに個別に記憶されている。配信情報選定手段３０５は、上記Ｓ１２で抽出した場所情報が示す場所又はその近傍の場所に対応する施設位置情報、ＧＰＳ位置情報及びエリア位置情報が時間を異にして複数個記憶されている利用者の利用者識別情報を読み出す。
【００４２】
このようにして利用者を抽出したら、次に、配信情報選定手段３０５は、嗜好特定情報記憶手段（配信希望情報データベース）３０４から、上記Ｓ１３で抽出した利用者の利用者識別情報に対応する配信希望情報を読み出す（Ｓ１４）。そして、上記配信情報が配信希望情報に合致している利用者を更に抽出する（Ｓ１５）。具体的には、配信情報選定手段３０５は、各利用者について、上記配信情報がその利用者の配信希望情報に合致しているか否かを判断し、合致していると判断された利用者のみを抽出する。これにより、配信情報選定手段３０５は、上記配信情報を配信する配信対象を、その配信情報に含まれる場所情報が示す場所に繰り返し行ったことのある利用者であって、その配信情報について配信を希望する者に絞り込むことができる。そして、配信情報選定手段３０５は、上記配信情報を情報送信手段３０６へ送り、その配信情報は、情報送信手段３０６により、このように絞り込まれた利用者に対してのみ送信される（Ｓ１６）。すなわち、その他の利用者には送信されない。
【００４３】
なお、情報提供サーバ３０が上記配信情報処理を行う時期、すなわち、配信情報を送信する送信タイミングは、その配信情報の内容に応じて個別に決定してもよい。例えば、配信情報が天気予報情報である場合、その送信タイミングは、その天気予報情報が天気を予測する日の前日としたり、また、例えば、配信情報が特売情報である場合、その特売情報に係る商品やサービスを提供する日の前日又はその特売日としたりしてもよい。この場合、情報提供サーバ３０のＣＰＵ等により、情報送信手段３０６が配信情報を送信する送信タイミングを、その配信情報の内容に応じて決定する送信タイミング決定手段の機能を実現すればよい。
【００４４】
以上、本実施形態１によれば、各利用者は、自分がよく行く場所又はその近傍に関する配信情報だけを入手できるようになる。これにより、その利用者がほとんど行ったことがない又は全く行ったことがないようなその利用者にとって無関係な場所に関する配信情報が、その利用者の携帯電話機１０へ配信されることがなくなる。
ここで、配信情報の内容や種類を問わず、利用者がよく行く場所に関する配信情報をすべて配信する場合、その利用者へ配信される情報の中にその利用者が興味のない情報も含まれることがある。しかし、本実施形態１では、各利用者から自分が配信を希望する配信情報を特定するための配信希望情報（その利用者の嗜好特定情報）を予め取得しておき、その配信希望情報に合致した配信情報だけをその利用者の携帯電話機１０へ配信する。したがって、本実施形態１では、利用者がよく行く場所に関する配信情報であって、その利用者の嗜好に合致した配信情報（その利用者の興味がある情報）だけが、その利用者の携帯電話機１０へ配信されることになる。
【００４５】
なお、本実施形態１では、配信情報に関わる場所に繰り返し行ったことのある利用者を抽出してから、その配信情報が配信希望情報に合致している利用者を更に抽出する場合について説明したが、配信情報が配信希望情報に合致している利用者を抽出してから、その配信情報に関わる場所に繰り返し行ったことのある利用者を更に抽出するようにしてもよい。
また、本実施形態１は、配信情報に着目してその配信情報を配信する利用者を選定するという流れで説明しているが、これは、各利用者に着目すれば、各利用者に配信する配信情報を選定することと同様である。
また、本実施形態１では、携帯電話機１０にＧＰＳ位置情報取得手段１０２を設け、携帯電話機１０の正確な位置情報を取得しているが、上記エリア位置情報や上記施設位置情報の少なくとも一方だけを用いるようにしてもよい。この場合、携帯電話機１０にＧＰＳ位置情報取得手段１０２を設ける必要がなくなる。なお、エリア位置情報だけを用いる場合でも、対応する基地局の所在地から携帯電話機１０のおおまかな位置を把握することができる。特に、対応する基地局の通信管理エリアが非常に狭い場合、かなり正確に携帯電話機１０の位置を把握することができる。例えばビル内の各階にそれぞれ室内基地局が設けられている場合には、携帯電話機１０が当該ビルの何階にいるかを把握することができる。また、例えば鉄道の各駅にそれぞれ室内基地局が設けられている場合には、携帯電話機１０がどの駅にいるかを把握することができる。
一方で、本実施形態のように、携帯電話機１０にＧＰＳ位置情報取得手段１０２を設け、かつ、エリア位置情報取得手段１０３及び施設位置情報取得手段１０４の少なくとも一方を設ければ、携帯電話機１０の位置情報の取得について、各手段が互いに補いながら正確性と安定性を両立することができる。具体的には、例えば、ＧＰＳ測位が可能な場所ではＧＰＳ位置情報取得手段１０２により携帯電話機１０の正確な位置情報を取得し、携帯電話機１０が地下等に存在していてＧＰＳ衛星６０からの電波を所定の強度で受信できない等のＧＰＳ測位が困難な場所ではエリア位置情報取得手段１０３及び施設位置情報取得手段１０４の少なくとも一方を利用して携帯電話機１０の正確な位置情報を取得するといったことが可能となる。
【００４６】
〔実施形態２〕
次に、本発明を、携帯電話機１０と、その携帯電話機に対して情報を配信する情報提供サーバ３０とを含む情報配信システムに適用した他の実施形態（以下、本実施形態を「実施形態２」という。）について説明する。
図７は、本実施形態２に係る情報配信システム全体の概略構成図である。
図８は、本実施形態２の携帯電話機１０を構成する各手段の関係を示す機能ブロック図である。
【００４７】
本実施形態２における携帯電話機１０のハードウェア構成は、上記実施形態１と同様である。ただし、本実施形態２における携帯電話機１０は、図８に示すように、図３に示すハードウェア上で所定のプログラムを実行することにより実現される購入情報取得手段１１０の機能が追加されている。
この購入情報取得手段１１０は、制御部１１１、時計部１２５、近距離用無線通信部１４０、アンテナ１４１等で構成され、図７に示すデパートやコンビニなどの商業施設のレジに設置される決済用通信端末装置８０との間で通信を行うことにより、料金の支払いを行う。具体的には、利用者が決済用通信端末装置８０の通信アンテナ部８１に携帯電話機１０をかざすこと等により、利用者の携帯電話機１０が決済用通信端末装置８０の通信アンテナ部８１と通信可能な範囲内に位置すると、決済用通信端末装置８０と携帯電話機１０との間の双方向の通信により決済用の認証が実行される。そして、認証完了後、利用者が支払うべき料金の料金データが決済用通信端末装置８０から携帯電話機１０へ送られる。この料金データが携帯電話機１０に受信されると、その料金データに相当する金額分がその携帯電話機１０にチャージされた電子マネーデータから減算される。
【００４８】
ここで、本実施形態２では、料金を支払って購入した商品の情報が決済用通信端末装置８０から携帯電話機１０へ送られる。これを携帯電話機１０の購入情報取得手段１１０で受信したら、情報保存手段１０５は、その商品情報を購入提供履歴情報として、その情報を取得したときの日付時刻情報に対応付けて情報記憶手段１０１に保存する。そして、本実施形態２の携帯電話機１０において、上記情報送信手段１０６は、情報記憶手段１０１に保存した購入提供履歴情報を、その情報を取得したときの日付時刻情報とともに、携帯電話通信網２０を介して情報提供サーバ３０に送信する。
なお、商品を購入する際の決済方法は、利用者が購入した商品の情報を携帯電話機１０の情報記憶手段１０１に保存できるものであれば、上述した電子マネー決済方法に限られない。
【００４９】
図９は、本実施形態２の情報提供サーバ３０を構成する各手段の関係を示す機能ブロック図である。
この情報提供サーバ３０は、上記実施形態１の情報提供サーバが備えていた嗜好特定情報記憶手段が配信希望情報ではなく上記購入提供履歴情報を記憶している。また、情報受信手段３０２は、購入提供履歴情報取得手段としても機能し、情報保存手段３０３は、購入提供履歴情報保存手段としても機能する。
【００５０】
上記嗜好特定情報記憶手段３０４は、ＣＰＵ、内部メモリ、外部記憶装置等で構成され、各携帯電話機１０の利用者が過去に購入した商品を示す購入提供履歴情報を記憶して管理するように購入履歴データベースを構築している。なお、本実施形態２では、購入提供履歴情報が、購入した商品を示す商品情報であるが、提供を受けたサービスを示すサービス情報であっても同様であることは言うまでもない。
上記情報受信手段３０２は、上記実施形態１における配信希望情報に代えて、各携帯電話機１０の情報記憶手段１０１に記憶された購入提供履歴情報を、携帯電話通信網２０を介して各携帯電話機１０から受信する。この購入提供履歴情報は、情報提供サーバ３０にとっては、その利用者の嗜好を特定するための嗜好特定情報として用いられる。この購入提供履歴情報によりその利用者が入手したいと思っている配信情報を推定できるので、この配信情報はその利用者の嗜好に合致した情報と考えることができる。
上記情報保存手段３０３は、上記情報受信手段３０２で受信した購入提供履歴情報を、その利用者の利用者識別情報に関連づけて、上記嗜好特定情報記憶手段３０４に保存する。
【００５１】
上記配信情報選定手段３０５は、上記実施形態１の場合と同様に、位置履歴情報記憶手段３０１に記憶されている各種位置情報等及び嗜好特定情報記憶手段３０４に記憶されている購入提供履歴情報から決定される選定条件に従って、配信情報記憶手段３０７に記憶された配信情報の中から、各利用者の携帯電話機１０へ送信すべき配信情報を利用者ごと選定する。ここで、本実施形態２における購入提供履歴情報から決定される選定条件は、この購入提供履歴情報に基づき、その利用者が繰り返し購入している商品や、購入頻度の高い商品分類等を抽出するための条件（以下、「嗜好条件」という。）である。例えば、その利用者が特定ブランドの化粧品を繰り返し購入していることがその購入提供履歴情報から判明した場合、上記嗜好条件は、例えば、その特定ブランドの化粧品に関する情報であることとなる。また、例えば、その利用者がいろいろな菓子を繰り返し購入していることがその購入提供履歴情報から判明した場合、上記嗜好条件は、例えば、その菓子に関する情報であることとなる。本実施形態２では、上記配信情報選定手段３０５は、配信情報記憶手段３０７に記憶された配信情報の中から、各種位置情報等に基づいて選定した情報のうち、購入提供履歴情報から決定される嗜好条件を満たす配信情報を選定するか、その嗜好条件を満たす配信情報のうち、各種位置情報等に基づいて選定された情報を選定する。
【００５２】
各利用者の嗜好条件は、情報提供サーバ３０のＣＰＵ等が所定のプログラムを実行することにより所定のタイミングで決定し、決定した嗜好条件をその利用者の利用者識別情報に関連付けて嗜好特定情報記憶手段３０４に予め保存される。
なお、各利用者の携帯電話機１０側で、嗜好条件を決定し、その嗜好条件を情報提供サーバ３０が受信してこれを嗜好特定情報記憶手段３０４に保存するようにしてもよい。
【００５３】
次に、本実施形態２における情報提供サーバ３０の配信情報処理について説明する。
本実施形態２における情報提供システムの情報配信サービスは、上記実施形態１における配信希望情報に代えて利用者が購入した商品の履歴である購入提供履歴情報を用いる点を除いて、上記実施形態１と同様である。利用者の購入提供履歴情報はその利用者の個人情報に該当する可能性があるので、このサービスを利用する利用者から、その利用者の購入提供履歴情報を利用する旨の承諾を予め受けておく。
【００５４】
図１０は、上記情報提供サーバ３０が行う配信情報処理のフローチャートである。
まず、情報提供サーバ３０の配信情報選定手段３０５は、上記実施形態１の場合と同様に、配信情報記憶手段３０７に記憶されている配信情報を読み出し（Ｓ１１）、その配信情報から場所情報を抽出する（Ｓ１２）。次に、配信情報選定手段３０５は、上記実施形態１の場合と同様に、位置履歴情報記憶手段（位置履歴データベース）３０１を参照し、抽出した場所情報が示す場所又はその近傍に繰り返し行ったことのある利用者を抽出する（Ｓ１３）。
【００５５】
このようにして利用者を抽出したら、次に、本実施形態２では、配信情報選定手段３０５は、嗜好特定情報記憶手段（購入履歴データベース）３０４から、上記Ｓ１３で抽出した利用者の利用者識別情報に対応する嗜好条件を読み出す（Ｓ２１）。そして、上記配信情報が自分の嗜好条件を満たしている利用者を更に抽出する（Ｓ２２）。具体的には、配信情報選定手段３０５は、各利用者について、上記配信情報がその利用者の嗜好条件を満たしているか否かを判断し、満たしていると判断された利用者のみを抽出する。これにより、配信情報選定手段３０５は、上記配信情報を配信する配信対象を、その配信情報に含まれる場所情報が示す場所に繰り返し行ったことのある利用者であって、その配信情報が自分の嗜好条件を満たしている者に絞り込むことができる。そして、配信情報選定手段３０５は、上記配信情報を情報送信手段３０６へ送り、その配信情報は、情報送信手段３０６により、このように絞り込まれた利用者に対してのみ送信される（Ｓ１６）。すなわち、その他の利用者には送信されない。
【００５６】
なお、情報提供サーバ３０が上記配信情報処理を行う時期、すなわち、配信情報を送信する送信タイミングは、その配信情報の内容に応じて個別に決定してもよい点は、上記実施形態１の場合と同様である。
【００５７】
以上、本実施形態２でも、上記実施形態１の場合と同様に、各利用者は、自分がよく行く場所に関する配信情報だけを入手できるようになる。これにより、その利用者がほとんど行ったことがない又は全く行ったことがないようなその利用者にとって無関係な場所に関する配信情報が、その利用者の携帯電話機１０へ配信されることがなくなる。
また、本実施形態２によれば、各利用者が過去に購入した商品の情報である購入提供履歴情報（嗜好特定情報）を予め取得しておき、自分の購入提供履歴情報から決定される選定条件（嗜好条件）を満たす配信情報だけをその利用者の携帯電話機１０へ配信する。したがって、本実施形態２では、利用者がよく行く場所に関する配信情報であって、その利用者の嗜好に合致した配信情報（その利用者の興味がある情報）だけが、その利用者の携帯電話機１０へ配信されることになる。
【００５８】
なお、本実施形態２では、上記実施形態１で利用した配信希望情報に代えて購入提供履歴情報を嗜好特定情報として用いる場合について説明したが、その配信希望情報と購入提供履歴情報の両方を嗜好特定情報として用いてもよい。この場合、利用者の嗜好により正確に合致した配信情報を、その利用者の携帯電話機１０へ配信することが可能になる。
また、本実施形態２では、配信情報に関わる場所に繰り返し行ったことのある利用者を抽出してから、その配信情報が選定条件を満たしている利用者を更に抽出する場合について説明したが、配信情報が選定条件を満たしている利用者を抽出してから、その配信情報に関わる場所に繰り返し行ったことのある利用者を更に抽出するようにしてもよい。
【００５９】
また、本実施形態２では、利用者が購入した商品の情報（購入提供履歴情報）を情報提供サーバ３０が取得できればよく、その取得の方法は、携帯電話機１０から取得する方法に限られない。すなわち、商品を購入する際にその商品の情報を携帯電話機１０の情報記憶手段１０１に保存できず、その商品情報を携帯電話機１０から情報提供サーバ３０へ送信できない場合でも、本実施形態２と同様の効果を得ることは可能である。
例えば、レジを担当する作業員に硬貨や紙幣を渡す従来からの決済方法で商品を購入する場合を例に挙げれば、そのレジに入力された商品の情報を、その商品を購入した利用者を特定できる状態で、例えばインターネット等の通信ネットワークを介して、上記情報提供サーバ３０が取得できる構成とすればよい。また、例えば、クレジットカードによる決済方法で商品を購入する場合を例に挙げれば、クレジットカード会社が管理運営する管理装置に記憶されたその商品の情報を、その商品を購入した利用者を特定できる状態で、例えばインターネット等の通信ネットワークを介して、上記情報提供サーバ３０が取得できる構成とすればよい。なお、これらの場合、利用者から、その利用者の購入提供履歴情報を利用する旨の承諾を予め受けておく。
【００６０】
〔変形例１〕
次に、上記実施形態２の変形例（以下、本変形例を「変形例１」という。）について説明する。
本変形例１では、利用者に配信する配信情報を選定するための選定条件の１つである嗜好条件の補正に関するものである。具体的には、携帯電話機１０から取得した購入提供履歴情報が示す商品が過去にその携帯電話機１０へ配信した配信情報に関わるものであるか否かを判断し、その判断結果に基づいてその携帯電話機の利用者の嗜好条件を補正する。
【００６１】
図１１は、本変形例１の情報提供サーバ３０を構成する各手段の関係を示す機能ブロック図である。
この情報提供サーバ３０は、ＣＰＵ等からなるハードウェア上で所定のプログラムを実行することにより、上記実施形態２の情報提供サーバが備えていた各手段のほか、選定条件補正手段の機能も実現している。
上記選定条件補正手段３０８は、ＣＰＵ等により構成され、情報受信手段３０２が取得して嗜好特定情報記憶手段３０４に保存された購入提供履歴情報に係る商品が、過去に情報送信手段３０６により送信した配信情報に関わるものであるか否かを判断する。
ここで、本変形例１では、上記実施形態２の場合と同様に、抽出した利用者へ配信情報を送信するが（図１０のＳ１１〜Ｓ１６）、配信情報選定手段３０５は、その抽出した利用者の利用者識別情報に関連づけて、上記嗜好特定情報記憶手段３０４に、その配信情報に関わる商品を特定する商品特定情報を保存する点が上記実施形態２と異なっている。
【００６２】
図１２は、本変形例１における情報提供サーバ３０が行う選定条件補正処理のフローチャートである。
情報提供サーバ３０の選定条件補正手段３０８は、情報受信手段３０２が取得して情報保存手段３０３が嗜好特定情報記憶手段３０４に購入提供履歴情報を保存したら、その購入提供履歴情報及びこれに関連づけられた利用者識別情報を、嗜好特定情報記憶手段３０４から読み出す（Ｓ３１）。そして、読み出した購入提供履歴情報に関わる商品を認識する（Ｓ３２）。次に、選定条件補正手段３０８は、上記利用者識別情報に関連付けられた商品特定情報を嗜好特定情報記憶手段３０４から読み出す（Ｓ３３）。そして、この読み出した商品特定情報が示す商品の中に、上記Ｓ３２で認識した商品と一致するものが含まれているか否かを判断する（Ｓ３４）。
【００６３】
この判断において、含まれていないと判断された場合は、そのまま処理を終了する。一方、含まれていると判断された場合、その利用者は過去に配信した配信情報を見てその配信情報に関わる商品を購入したものと推測できるので、その配信情報はその利用者の嗜好に合致したものであると考えられる。よって、この場合、選定条件補正手段３０８は、その配信情報を送信する際に用いた嗜好条件の生存期間をリセットする（Ｓ３５）。ここで、本変形例１では、嗜好特定情報記憶手段３０４に記憶された嗜好条件にはそれぞれ生存期間が定められている。すなわち、生存期間が過ぎると、その嗜好条件は嗜好特定情報記憶手段３０４から削除される。したがって、過去に配信した配信情報に関わる商品がいつまでも購入されない場合には、その配信情報を送信する際に用いた嗜好条件の生存期間がいずれ過ぎることになる。一方、過去に配信した配信情報に関わる商品がその利用者に購入され、商品に係る購入提供履歴情報が情報提供サーバ３０に受信されると、その配信情報を送信する際に用いた嗜好条件の生存期間がリセットされ、その嗜好条件は更に長い間その利用者の配信情報の選定に利用されることになる。
【００６４】
以上、本変形例１によれば、利用者に利用された配信情報についての選定条件の１つである嗜好条件は継続して用いられ、利用者に利用されなかった配信情報についての嗜好条件は削除される結果、その利用者に配信される配信情報がその利用者の嗜好に合致する精度を経時的に高めることができる。
なお、嗜好条件の生存期間は、嗜好条件の内容等に応じて嗜好条件ごとに個別に設定することが望ましい。
【００６５】
〔変形例２〕
次に、上記実施形態１及び２の変形例（以下、本変形例を「変形例２」という。）について説明する。
上記実施形態１及び２は、位置履歴情報記憶手段３０１に記憶された位置情報に基づいて利用者がよく行く場所又はその近傍を認識し、その場所等に関わる配信情報をその利用者に選択的に配信するものであった。これに対し、本変形例２は、位置履歴情報記憶手段３０１に記憶された位置情報に基づいて利用者の行動範囲を認識し、その利用者が過去に行ったことがない場所であってもその利用者の行動範囲内であれば、その場所に関わる配信情報を配信するものである。
なお、以下の説明では、上記実施形態１の場合の変形例について説明するが、上記実施形態２についても同様である。
【００６６】
図１３は、本変形例２における情報提供サーバ３０が行う配信情報処理のフローチャートである。
まず、情報提供サーバ３０の配信情報選定手段３０５は、上記実施形態１と同様に、配信情報記憶手段３０７に記憶されている配信情報を読み出す（Ｓ１１）。そして、本変形例２では、先に、この配信情報が配信希望情報に合致している利用者を抽出する（Ｓ１４，Ｓ１５）。このようにして利用者を抽出したら、次に、配信情報選定手段３０５は、位置履歴情報記憶手段（位置履歴データベース）３０１から、上記Ｓ１５で抽出した利用者の利用者識別情報に対応する位置履歴情報を読み出す（Ｓ４１）。そして、配信情報選定手段３０５は、読み出した位置履歴情報に基づき、所定の移動予測地域抽出条件に従ってその利用者の携帯電話機が移動すると予測される移動予測地域を導出する（Ｓ４２）。この移動予測地域の導出に用いられる移動予測地域抽出条件としては、その利用者の携帯電話機が移動する地域を予測するのに必要な条件が用いられる。本変形例２では、読み出した位置履歴情報に基づき、その携帯電話機１０の過去の位置分布を求め、その位置分布から利用者の行動範囲を推定する。そして、この行動範囲を移動予測地域として導出する。すなわち、本変形例２では、位置履歴情報から求まる利用者の行動範囲に一致することが所定の移動予測地域抽出条件となる。
【００６７】
このようにして移動予測地域を導出したら、配信情報選定手段３０５は、上記実施形態１の場合と同様に、配信情報記憶手段３０７から読み出した配信情報から場所情報を抽出する（Ｓ１２）。そして、抽出した場所情報が示す場所又はその近傍が、上記Ｓ４２で導出した移動予測地域内に含まれている利用者を抽出する（Ｓ４３）。これにより、配信情報選定手段３０５は、上記配信情報を配信する配信対象を、その配信情報に含まれる場所情報が示す場所が自分の行動範囲（移動予測地域）内に含まれている利用者であって、その配信情報について配信を希望する者に絞り込むことができる。そして、上記配信情報は、情報送信手段３０６により、このように絞り込まれた利用者に対してのみ送信され（Ｓ１６）、その他の利用者には送信されない。
【００６８】
以上、本変形例２によれば、各利用者は、自分の行動範囲内に属する場所に関しての配信情報だけを入手できるようになる。これにより、その利用者の行動範囲から外れるようなその利用者にとって無関係な場所に関する配信情報が、その利用者の携帯電話機１０へ配信されることがなくなる。一方で、その利用者が過去に行ったことがない場所であってもその利用者の行動範囲内であれば、その行動範囲内の場所に関わる配信情報が配信される。
なお、本変形例２では、情報配信処理中に、位置履歴情報を読み出して移動予測地域を導出する場合について説明したが、情報配信処理を行う前の所定のタイミングで予め移動予測地域を導出しておき、その移動予測地域の情報をその利用者の利用者識別情報に関連づけて、上記位置履歴情報記憶手段３０１に保存しておいてもよい。この場合、情報配信処理中に、位置履歴情報を読み出して移動予測地域を導出する処理が不要となり、情報配信処理の迅速化を図ることができる。
また、本変形例２では、配信情報に関わる場所が自分の行動範囲内にある利用者を抽出した上で、更に、その配信情報が配信希望情報に合致している利用者を抽出する場合について説明したが、配信情報が配信希望情報に合致している利用者を必ずしも抽出しなくてもよい。この場合、配信希望情報を受信してこれを嗜好特定情報記憶手段３０４に記憶する処理は不要である。
【００６９】
〔実施形態３〕
次に、本発明を、携帯電話機１０と、その携帯電話機に対して情報を配信する情報提供サーバ３０とを含む情報配信システムに適用した更に他の実施形態（以下、本実施形態を「実施形態３」という。）について説明する。
上記実施形態１及び２は、位置履歴情報記憶手段３０１に記憶された位置情報に基づいて利用者がよく行く場所又はその近傍を認識し、その場所等に関わる配信情報をその利用者に選択的に配信するものであった。これに対し、本実施形態３は、位置履歴情報記憶手段３０１に記憶された位置履歴情報及びこれに関連づけられた日付時刻情報に基づいて利用者の行動パターンを抽出し、その利用者がいつどこへ行くのかを予測し、その行き先に関わる配信情報を、その行き先へ行く所定時間前に配信するものである。
なお、以下、上記実施形態１を元に、その実施形態１とは異なる部分についてのみ説明するが、上記実施形態２を元にしても同様である。
【００７０】
図１４は、本実施形態３の情報提供サーバ３０を構成する各手段の関係を示す機能ブロック図である。
この情報提供サーバ３０は、ＣＰＵ等からなるハードウェア上で所定のプログラムを実行することにより、上記実施形態１の情報提供サーバが備えていた各手段のほか、行動パターン抽出手段３０９及び移動時刻認定手段３１０の各機能も実現している。
【００７１】
上記行動パターン抽出手段３０９は、所定期間内の日時を示す日付時刻情報に関連づけられた位置履歴情報を位置履歴情報記憶手段３０１から読み出し、読み出した位置履歴情報に基づいてその利用者の行動パターンを抽出する。そして、抽出した行動パターンをその利用者の利用者識別情報に関連づけて位置履歴情報記憶手段３０１に保存する。ここでいう行動パターンとは、その利用者が過去に繰り返し行った場所と、その場所に行った時の時刻、曜日、月等とが互いに関連づけられた情報である。したがって、上記行動パターン抽出手段３０９は、利用者の位置履歴情報から、その利用者が過去に繰り返し行った場所を抽出し、その場所を示す移動推定場所情報とその場所に行った時の日付時刻情報とを互いに関連づけたものを、その利用者の行動パターンとして、位置履歴情報記憶手段３０１に保存する。
なお、各利用者の行動パターンは、情報提供サーバ３０のＣＰＵ等が所定のプログラムを実行することにより所定のタイミングで上記行動パターン抽出手段３０９により抽出され、位置履歴情報記憶手段３０１に保存される。ただし、各利用者の携帯電話機１０側で、位置履歴情報に基づいて自己の行動パターンを決定し、その行動パターンを情報提供サーバ３０が受信してこれを位置履歴情報記憶手段３０１に保存するようにしてもよい。
【００７２】
上記移動時刻認定手段３１０は、位置履歴情報記憶手段３０１に記憶された行動パターンから、上記配信情報選定手段の選定対象である配信情報に含まれる場所情報（配信情報関連場所）が示す場所へその利用者が移動すると推測される時刻を認定する。なお、認定した時刻は、情報送信手段３０６へ送られ、情報送信手段３０６で一時保存される。
【００７３】
次に、本実施形態３における情報提供サーバ３０の配信情報処理について説明する。
図１５は、上記情報提供サーバ３０が行う配信情報処理のフローチャートである。
まず、情報提供サーバ３０の配信情報選定手段３０５は、上記実施形態１の場合と同様に、配信情報記憶手段３０７に記憶されている配信情報を読み出し（Ｓ１１）、その配信情報から場所情報を抽出する（Ｓ１２）。次に、配信情報選定手段３０５は、位置履歴情報記憶手段（位置履歴データベース）３０１を参照し、抽出した場所情報の示す場所が自己の行動パターンに含まれている利用者を抽出する（Ｓ５１）。すなわち、抽出した場所情報が自己の行動パターンの移動推定場所情報と一致している利用者を抽出する。
【００７４】
このようにして利用者を抽出したら、次に、上記実施形態１の場合と同様に、配信情報選定手段３０５は、位置履歴情報記憶手段（位置履歴データベース）３０１から、上記Ｓ５１で抽出した利用者の利用者識別情報に対応する配信希望情報を読み出す（Ｓ１４）。そして、上記配信情報が配信希望情報に合致している利用者を更に抽出する（Ｓ１５）。そして、配信情報選定手段３０５は、上記配信情報を情報送信手段３０６へ送る。
【００７５】
一方、配信情報選定手段３０５は、上記Ｓ５１において利用者を抽出したら、その利用者の利用者識別情報及び配信情報に含まれる場所情報を移動時刻認定手段３１０に送る。これらを受けた移動時刻認定手段３１０は、受け取った利用者識別情報に対応する行動パターンを位置履歴情報記憶手段３０１から読み出し、その行動パターンから、受け取った場所情報に一致する移動推定場所情報に関連づけられた日付時刻情報を抽出する。そして、抽出した日付時刻情報の中から周期性のある情報のみを取り出し、その場所情報が示す場所に利用者が行く可能性の高い移動予測日時を特定する（Ｓ５３）。そして、特定した移動予測日時のうち、将来に向かって直近の日時の所定時間前を示す配信予定時刻情報を認定して（Ｓ５４）、これを情報送信手段３０６へ送る。
なお、本実施形態では、配信情報処理時に、移動時刻認定手段３１０によって、配信情報に関わる場所へ利用者が行く可能性の高い移動予測日時を特定しているが、配信情報処理前に予め特定しておいてもよい。この場合、例えば、行動パターン抽出手段３０９が行動パターンを抽出する際に、利用者が過去に繰り返し行った場所を示す移動推定場所情報に、単にその場所に行った時の日付時刻情報を関連づけるだけでなく、その日付時刻情報からその場所に利用者が行く可能性の高い移動予測日時を特定し、その移動予測日時を示す情報を移動推定場所情報に関連付けて保存する。これによれば、配信情報処理の際に、移動時刻認定手段３１０は、その行動パターンに含まれる移動予測日時の情報に基づいて配信予定時刻を認定し、その時刻を示す配信予定時刻情報を情報送信手段３０６へ送るだけでよくなる。
【００７６】
配信予定時刻情報を受け取った情報送信手段３０６は、その配信予定時刻情報が示す日時に到達するまでは、配信情報選定手段から受け取った配信情報を送信しない（Ｓ５５）。そして、配信予定時刻情報が示す日時に到達したら、対応する利用者の携帯電話機１０に向けて配信情報を送信する（Ｓ１６）。
【００７７】
以上、本実施形態３でも、上記実施形態１の場合と同様に、各利用者は、自分がよく行く場所に関する配信情報であって、その利用者の嗜好に合致した配信情報だけを入手できるようになる。
しかも、本実施形態３によれば、その配信情報に関わる場所に利用者が行くと予想される時刻の所定時間前に、その配信情報が配信される。したがって、この所定時間を適切に設定することで、利用者に対して適切なタイミングで配信情報を配信することが可能になる。なお、配信情報を配信する適切なタイミングは、その配信情報の内容によって変わってくるので、この所定時間は、配信情報の内容に応じて決定するのが望ましい。
【００７８】
なお、本実施形態３では、配信情報が配信希望情報に合致している利用者を抽出してから、その配信情報に関わる場所を自己の行動パターンに含んでいる利用者を更に抽出する場合について説明したが、配信情報に関わる場所を自己の行動パターンに含んでいる利用者を抽出してから、その配信情報が配信希望情報に合致している利用者を更に抽出するようにしてもよい。
また、本実施形態３では、配信情報に関わる場所を自己の行動パターンに含んでいる利用者を抽出した上で、更に、その配信情報が配信希望情報に合致している利用者を抽出する場合について説明したが、配信情報に関わる場所を自己の行動パターンに含んでいる利用者を抽出するだけでもよい。この場合でも、その利用者がほとんど行ったことがない又は全く行ったことがないようなその利用者にとって無関係な場所に関する配信情報が、その利用者の携帯電話機１０へ配信されることがなくなるとともに、適切なタイミングで利用者へ配信情報を配信することが可能になるという有益な効果が得られる。
【００７９】
〔実施形態４〕
次に、本発明を、携帯電話機１０と、その携帯電話機に対して情報を配信する情報提供サーバ３０とを含む情報配信システムに適用した更に他の実施形態（以下、本実施形態を「実施形態４」という。）について説明する。
上述した実施形態１乃至３は、自分の位置履歴情報及び自分の嗜好特定情報（配信希望情報）に基づいて選定された情報が自分に送信される場合であったが、本実施形態４は、他人の位置履歴情報及び他人の配信希望情報に基づいて選定された情報が自分に送信される場合である。自分の位置履歴情報及び自分の配信希望情報に基づいて選定された配信情報を自分が属しているグループ内の他の利用者に対しても送信することについては、その利用者から予め承諾を受けておく。
なお、以下、上記実施形態１を元に、その実施形態１とは異なる部分についてのみ説明するが、上記実施形態２を元にしても同様である。
【００８０】
図１６は、本実施形態４に係る情報配信システム全体の概略構成図である。
図１７は、本実施形態４の情報提供サーバ３０を構成する各手段の関係を示す機能ブロック図である。
この情報提供サーバ３０は、ＣＰＵ等からなるハードウェア上で所定のプログラムを実行することにより、上記実施形態１の情報提供サーバが備えていた各手段のほか、グループ特定情報記憶手段３１１の機能も実現している。このグループ特定情報記憶手段３１１は、ＣＰＵ、内部メモリ、外部記憶装置等で構成され、各携帯電話機１０の利用者が属するグループを特定するグループ特定情報を、そのグループに属する利用者の利用者識別情報と関連付けて記憶している。利用者がグループに属するためには、そのグループに属することを希望する旨のグループ登録要求を携帯電話通信網２０を介して携帯電話機１０やその他の通信端末から情報提供サーバ３０へ送信する。このグループ登録要求は、情報受信手段３０２によって受信され、情報保存手段３０３は、そのグループ登録要求を送信した利用者の利用者識別情報を、そのグループ登録要求に係るグループ特定情報に関連づけてグループ特定情報記憶手段３１１に保存する。これにより、後述するように、この利用者の携帯電話機１１には、そのグループに属する他の利用者の携帯電話機１０の位置履歴情報及び配信希望情報に基づいて選定された配信情報が送信されることになる。
【００８１】
次に、本実施形態４における情報提供サーバ３０の配信情報処理について説明する。
図１８は、上記情報提供サーバ３０が行う配信情報処理のフローチャートである。
まず、情報提供サーバ３０の配信情報選定手段３０５は、上記実施形態１の場合と同様にして、その配信情報に含まれる場所情報が示す場所に繰り返し行ったことのある利用者であって、その配信情報について配信を希望する者を抽出する（Ｓ１１〜Ｓ１５）。そして、配信情報選定手段３０５は、上記配信情報とその利用者の利用者識別情報を情報送信手段３０６へ送る。この配信情報及び利用者識別情報を受け取った情報送信手段３０６は、まず、上記実施形態１の場合と同様に、その配信情報を、上記Ｓ１５で抽出された利用者に対して送信する（Ｓ１６）。この後、本実施形態４では、情報送信手段３０６は、グループ特定情報記憶手段を参照して、その利用者識別情報が関連付けられているグループ特定情報を検索する。そして、そのグループ特定情報に関連づけられた他の利用者特定情報を読み出し、そのグループに属する他の利用者を抽出する（Ｓ６１）。そして、抽出した他の利用者に対しても上記配信情報を送信する（Ｓ６２）。
なお、この送信時に、その配信情報の選定に用いられた位置履歴情報及び配信希望情報に係る利用者の名前やニックネームなどを、併せて送信するようにしてもよい。この場合、配信情報を受けた他の利用者は、その配信情報が誰の位置履歴情報等によって選定されたものかどうかを知ることができるようになる。
【００８２】
以上、本実施形態４によれば、利用者は、同じグループに属する他の利用者がよく行く場所に関する配信情報を入手できるようになる。これにより、同じグループに属する特定の人がよく行く場所に関する情報をそのグループに属する利用者全員で共有することができる。これにより、例えば友人同士が同じグループに登録すれば、その友人間の特定の人がよく行く場所に関する情報をその友人間で共有することができる。
【００８３】
なお、本実施形態４では、同じグループに属する利用者の位置履歴情報等に基づいて選定された配信情報をその利用者に対しても送信する場合について説明したが、その利用者には送信せずに、そのグループに属する他の利用者に対してだけ送信するようにしてもよい。
また、本実施形態４では、利用者からのグループ登録要求に応じてその利用者の利用者識別情報をグループ特定情報に関連づけて保存する場合について説明したが、利用者のグループ登録要求なしに、所定のグループ登録条件に従って、その利用者の利用者識別情報をグループ特定情報に関連づけて保存するようにしてもよい。例えば、情報提供サーバ３０側が利用者の年齢情報を取得している場合  予め用意された年齢別にそれぞれグループのうち、その年齢情報の示す年齢が属するグループのグループ特定情報に、その利用者の利用者識別情報を関連づけて保存するようにしてもよい。この場合、同じ年代の他人がよく行く場所に関する情報を知ることができる。なお、この場合も、グループに登録するか否か等の必要な承諾を得る。そのほか、同様にして、各利用者の住所情報に基づいて住んでいる地域ごとにグループ分けしたり、各利用者が通っている学校情報に基づいて通っている学校ごとにグループ分けしたり、これらを組み合わせてグループ分けしたりしてもよい。
また、本実施形態４では、配信情報に関わる場所に繰り返し行ったことのある利用者を抽出した上で、更に、その配信情報が配信希望情報に合致している利用者を抽出し、その利用者が属するグループの他の利用者へその配信情報を送信する場合について説明したが、配信情報に関わる場所に繰り返し行ったことのある利用者を抽出するだけで、その配信情報が配信希望情報に合致している利用者を更に抽出することなく、その利用者が属するグループの他の利用者へその配信情報を送信するようにしてもよい。この場合、配信希望情報を受信してこれを嗜好特定情報記憶手段３０４に記憶する処理は不要である。
また、本実施形態４は、上記実施形態１を元にした場合について説明したが、上記実施形態２並びに上記変形例１及び２を元にした場合でも同様である。
【００８４】
〔実施形態５〕
次に、本発明を、携帯電話機１０と、その携帯電話機に対して情報を配信する情報提供サーバ３０とを含む情報配信システムに適用した更に他の実施形態（以下、本実施形態を「実施形態５」という。）について説明する。
上述した実施形態４は、他人の位置履歴情報及び他人の嗜好特定情報に基づいて選定された情報が自分に送信される場合であったが、本実施形態５は、位置履歴情報を用いずに、他人の嗜好特定情報から決定される選定条件（嗜好条件）に従って選定された情報が自分に送信される場合である。自分の嗜好特定情報から決定される嗜好条件に従って選定された配信情報を自分が属しているグループ内の他の利用者に対しても送信することについては、その利用者から予め承諾を受けておく。
【００８５】
図１９は、本実施形態５に係る情報配信システム全体の概略構成図である。
図２０は、本実施形態５の情報提供サーバ３０を構成する各手段の関係を示す機能ブロック図である。
本実施形態５の情報提供サーバ３０は、その基本構成は上記実施形態２のものと同様であるが、利用者の位置履歴情報を取り扱わないため、位置履歴情報を受信せず、かつ、位置履歴情報記憶手段３０１を備えていない点で、上記実施形態２のものと異なっている。また、本実施形態５の情報提供サーバ３０は、ＣＰＵ等からなるハードウェア上で所定のプログラムを実行することにより、グループ特定情報記憶手段３１１の機能も実現している。このグループ特定情報記憶手段３１１は、上記実施形態４のものと同様であり、そのグループへの登録処理なども上記実施形態４の場合と同様である。
【００８６】
次に、本実施形態５における情報提供サーバ３０の配信情報処理について説明する。
図２１は、上記情報提供サーバ３０が行う配信情報処理のフローチャートである。
まず、情報提供サーバ３０の配信情報選定手段３０５は、上記実施形態２の場合と同様に、配信情報記憶手段３０７に記憶されている配信情報を読み出す（Ｓ７１）。次に、配信情報選定手段３０５は、嗜好特定情報記憶手段（購入履歴データベース）３０４を参照し、上記配信情報が嗜好条件を満たしている利用者を抽出する（Ｓ７２）。具体的に説明すると、購入提供履歴情報記憶手段３０４には、上記実施形態２で説明したように、各利用者の購入提供履歴情報に基づいて決定された嗜好条件が利用者ごとに個別に記憶されている。配信情報選定手段３０５は、上記Ｓ７１で読み出した配信情報が各利用者の嗜好条件を満たすか否かを判断し、満たすと判断された利用者の利用者識別情報を読み出す。これにより、配信情報選定手段３０５は、その配信情報が自分の嗜好条件を満たしている利用者のみ抽出することができる。そして、配信情報選定手段３０５は、上記配信情報と抽出した利用者の利用者識別情報を情報送信手段３０６へ送る。
【００８７】
この配信情報及び利用者識別情報を受け取った情報送信手段３０６は、上記実施形態４の場合と同様に、まず、その配信情報を、上記Ｓ７２で抽出された利用者に対して送信する（Ｓ７３）。この後、情報送信手段３０６は、グループ特定情報記憶手段を参照して、その利用者識別情報が関連付けられているグループ特定情報を検索する。そして、そのグループ特定情報に関連づけられた他の利用者特定情報を読み出し、そのグループに属する他の利用者を抽出する（Ｓ７４）。そして、抽出した他の利用者に対しても上記配信情報を送信する（Ｓ７５）。なお、この送信時に、その配信情報の選定に用いられた配信希望情報に係る利用者の名前やニックネームなどを、併せて送信するようにしてもよいことは、上記実施形態４の場合と同様である。
【００８８】
以上、本実施形態５によれば、利用者は、同じグループに属する他の利用者の嗜好条件を満たす情報、すなわち、同じグループに属する他の利用者の嗜好に合致した配信情報（その利用者の興味がある情報）を、入手できるようになる。これにより、同じグループに属する特定の人が興味を持っている情報をそのグループに属する利用者全員で共有することができる。これにより、例えば友人同士が同じグループに登録すれば、その友人間の特定の人が興味を持っている情報をその友人間で共有することができる。
【００８９】
なお、本実施形態５では、購入提供履歴情報を嗜好特定情報として用いる場合について説明したが、これに代えて上記実施形態１で用いた配信希望情報を嗜好特定情報として用いても同様の効果を得ることができる。
また、購入提供履歴情報だけを嗜好特定情報として用いるのではなく、上記実施形態１で用いた配信希望情報と購入提供履歴情報の両方を嗜好特定情報として用いてもよいなど、上述した実施形態２で説明した変更点については、上記変形例１及び２における変更点を含め、本実施形態５においても同様に変更してもよい。
また、同じグループに属する利用者の選定条件によて選定された配信情報をその利用者に対しては送信せずに、そのグループに属する他の利用者に対してだけ送信するようにしてもよいなど、上述した実施形態４で説明した変更点については、本実施形態５においても同様に変更してもよい。
【００９０】
以上、上述した実施形態１乃至３における情報配信システムにおいては、情報配信装置としての情報提供サーバ３０が、配信予定の配信情報を記憶する配信情報記憶手段３０７と、移動体通信端末としての携帯電話機１０が過去に位置した場所を示す位置履歴情報を記憶する位置履歴情報記憶手段３０１と、その携帯電話機１０の利用者の嗜好を特定するための嗜好特定情報である配信希望情報又は購入提供履歴情報を記憶する嗜好特定情報記憶手段３０４と、該位置履歴情報記憶手段３０１から読み出した位置履歴情報と該嗜好特定情報記憶手段３０４から読み出した配信希望情報又は購入提供履歴情報とから決定される選定条件に従って、該携帯電話機１０へ送信すべき配信情報を選定する配信情報選定手段３０５と、該配信情報選定手段３０５が選定した配信情報を該携帯電話機１０へ送信する情報送信手段３０６とを有している。
このような位置履歴情報を情報提供サーバ３０が取得できれば、その位置履歴情報からその利用者の行動を予測することが可能になる。よって、上記所定の選定条件を適宜設定することで、利用者の行動予測に合致した配信情報をその利用者の携帯電話機１０へ選択的に配信することが可能となる。したがって、利用者がこれから行くと予想される場所に関わる配信情報を、その利用者が実際にその場所に行く前に予め配信することが可能となる。
加えて、上記選定条件を、上記位置履歴情報のほか、配信先となる移動体通信端末の利用者の嗜好特定情報からも決定する。上述したように、配信情報の内容や種類を問わず、利用者の位置履歴情報だけから選定された配信情報をすべて配信する場合、その利用者へ配信される情報の中にその利用者が興味のない情報すなわちその利用者の嗜好に合致しない情報も含まれることがある。本情報提供サーバ３０は、その利用者の嗜好特定情報を予め取得して、その利用者へ配信する情報をその嗜好特定情報に合致した配信情報に更に絞り込むので、その利用者が興味のない情報がその利用者に配信される頻度を低減することができる。
【００９１】
また、上述した実施形態３の情報提供サーバ３０は、上記位置履歴情報記憶手段３０１に記憶される位置履歴情報が、該位置履歴情報が示す場所に上記携帯電話機１０が位置した時刻を示す時刻情報に関連づけられており、所定期間内の時刻を示す時刻情報に関連づけられた位置履歴情報を該位置履歴情報記憶手段３０１から読み出し、読み出した位置履歴情報に基づいて、該携帯電話機１０の利用者の行動パターンを抽出する行動パターン抽出手段３０９と、該行動パターン抽出手段３０９が抽出した行動パターンから、上記配信情報選定手段３０５が選定する配信情報に関わる配信情報関連場所へ該携帯電話機１０が移動すると推測される時刻を認定する移動時刻認定手段３１０とを有し、上記情報送信手段３０６が、該移動時刻認定手段３１０が認定した時刻の所定時間前に該配信情報を該携帯電話機１０へ送信する。
これにより、利用者の行き先に関わる配信情報を、その利用者がその行き先に行くと予想される時刻の所定時間前に配信することができるので、この所定時間を適切に設定することで、利用者に対して適切なタイミングで配信情報を配信することが可能になる。
【００９２】
また、上記実施形態４及び５の情報提供サーバ３０は、上記情報送信手段３０６が、上記配信情報選定手段３０５の選定した配信情報を、その選定の際に用いた位置履歴情報に係る利用者の携帯電話機１０へ送信する代わりに、該携帯電話機１０とは別の携帯電話機１１へ送信する。
これにより、上記別の携帯電話機１１の利用者に対し、自分以外の他人の携帯電話機１０の位置履歴情報に基づいて選別された配信情報が配信されるという今までにない新たな情報提供サービスを実現することが可能になる。
【００９３】
また、上記実施形態４及び５の情報提供サーバ３０は、複数の携帯電話機１０が属するグループを特定するグループ特定情報を記憶するグループ特定情報記憶手段３１１を有し、上記情報送信手段３０６は、上記グループ特定情報記憶手段３１１から上記携帯電話機１０が属するグループ特定情報を読み出し、上記配信情報選定手段３０５が選定した配信情報を、該グループ特定情報により特定されるグループに属する他の携帯電話機１１へ送信する。
これにより、上述したように、同じグループに属する特定の人がよく行く場所等に関する情報をそのグループに属する利用者全員で共有することができるようになる。
【００９４】
また、上述した実施形態１、２、４及び５においては、上記実施形態１や上記実施形態２において説明したように、上記情報送信手段３０６が送信する上記配信情報の送信タイミングを、該配信情報の内容に応じて決定する送信タイミング決定手段を設け、上記情報送信手段３０６が、該送信タイミング決定手段が決定した送信タイミングで該配信情報を送信するようにしてもよい。
これにより、配信情報の内容に応じた適切なタイミングで、その配信情報を利用者の携帯電話機へ送信することができる。
【００９５】
また、上述した実施形態２及び５の情報提供サーバ３０は、上記携帯電話機１０の利用者が購入した商品又は提供を受けたサービスを特定するための購入提供履歴情報を取得する購入提供履歴情報取得手段３０２と、該購入提供履歴情報取得手段３０２が取得した購入提供履歴情報を、上記嗜好特定情報として上記購入提供履歴情報記憶手段３０４に保存する購入提供履歴情報保存手段３０３とを有している。
これにより、利用者側から自分の嗜好特定情報を情報提供サーバ３０側へ知らせるための作業が不要となり、利用者の利便性が向上する。
特に、上記変形例１の情報提供サーバ３０は、上記購入提供履歴情報取得手段３０２が取得した購入提供履歴情報に係る商品又はサービスが、過去に上記情報送信手段３０６により送信した配信情報に関わるものであるか否かを判断し、その判断結果に基づいて、上記選定条件（嗜好条件）を補正する選定条件補正手段３０８を有している。
これにより、上述したように、利用者の嗜好に合致する精度を経時的に高めることができる。
【００９６】
また、上述した実施形態１、３及び４の情報提供サーバ３０は、上記携帯電話機１０の利用者が配信を希望する配信情報を特定するための配信希望情報を取得する配信希望情報取得手段３０２と、該配信希望情報取得手段３０２が取得した配信希望情報を、上記嗜好特定情報として、嗜好特定情報記憶手段としての位置履歴情報記憶手段３０１に保存する配信希望情報保存手段とを有するものであってもよい。
これにより、利用者の正確な嗜好を把握することができるようになる結果、利用者に配信される配信情報がその利用者の嗜好に合致する精度を高めることができる。
【００９７】
また、上述した実施形態１乃至４の情報提供サーバ３０は、携帯電話機１０から通信ネットワークとしての携帯電話通信網２０を通じて送信されてくる位置履歴情報を受信して、これを位置履歴情報記憶手段３０１に保存する位置履歴情報受信保存手段３０２，３０３を有している。
これにより、情報提供サーバ３０側で、各利用者の携帯電話機１０の位置を観測し、その携帯電話機１０の位置履歴情報を管理保存する場合に比べて、その処理負荷を各携帯電話機１０に分散することができるので、情報提供サーバ３０の処理負担を軽減することができる。
【００９８】
また、上記変形例２の情報提供サーバ３０は、上記配信情報選定手段３０５が、上記位置履歴情報記憶手段３０１から読み出した位置履歴情報に基づき、所定の移動予測地域抽出条件に従って上記携帯電話機１０が移動すると予測される移動予測地域を抽出し、抽出した移動予測地域内の場所に関わる情報であることを選定条件として、携帯電話機１０へ送信すべき配信情報として選定するものである。
これにより、上述したように、各利用者は、自分の行動範囲（移動予測地域）内に属する場所に関しての配信情報だけを入手できるようになるとともに、その利用者が過去に行ったことがない場所であってもその利用者の行動範囲内であれば、その行動範囲内の場所に関わる配信情報が配信される。
【００９９】
なお、上述した説明では、嗜好特定情報が、利用者の携帯電話機から送信される配信希望情報又は利用者の購入提供履歴情報である場合であったが、利用者が興味を持っている対象を特定することが可能な情報であれば、他の嗜好特定情報を用いることも可能である。例えば、利用者がよく閲覧するＷｅｂサイトの記事のジャンルなどの情報も、その利用者が興味を持っている対象を特定することが可能であり、嗜好特定情報として用いることが可能である。
また、以上の説明では、携帯電話機における情報配信システムについて説明したが、携帯電話機以外の移動体通信端末における情報配信システムであっても同様である。
【図面の簡単な説明】
【０１００】
【図１】実施形態１に係る情報配信システム全体の概略構成図。
【図２】同情報配信システムを構成する情報提供サーバの機能ブロック図。
【図３】同情報配信システムを構成する携帯電話機のハードウェア構成の一例を示すブロック図。
【図４】同携帯電話機の機能ブロック図。
【図５】携帯電話機における位置情報を取得して送信する動作の一例を示すフローチャート。
【図６】同情報提供サーバが行う配信情報処理のフローチャート。
【図７】実施形態２に係る情報配信システム全体の概略構成図。
【図８】同情報配信システムを構成する携帯電話機の機能ブロック図。
【図９】同情報配信システムを構成する情報提供サーバの機能ブロック図
【図１０】同情報提供サーバが行う配信情報処理のフローチャート。
【図１１】変形例１における情報提供サーバの機能ブロック図。
【図１２】同情報提供サーバが行う選定条件補正処理のフローチャート。
【図１３】変形例２における情報提供サーバが行う配信情報処理のフローチャート。
【図１４】実施形態３における情報提供サーバの機能ブロック図。
【図１５】同情報提供サーバが行う配信情報処理のフローチャート。
【図１６】実施形態４に係る情報配信システム全体の概略構成図。
【図１７】同情報配信システムを構成する情報提供サーバの機能ブロック図。
【図１８】同情報提供サーバが行う配信情報処理のフローチャート。
【図１９】実施形態５に係る情報配信システム全体の概略構成図。
【図２０】同情報配信システムを構成する情報提供サーバの機能ブロック図。
【図２１】同情報提供サーバが行う配信情報処理のフローチャート。
【符号の説明】
【０１０１】
１０，１１  携帯電話機
２０  携帯電話通信網
３０  情報提供サーバ
６０  ＧＰＳ衛星
７０  改札ゲート装置
８０  決済用通信端末装置
３０１  位置履歴情報記憶手段
３０４  嗜好特定情報記憶手段
３０５  配信情報選定手段
３０６  情報送信手段
３０７  配信情報記憶手段
３０８  選定条件補正手段
３０９  行動パターン抽出手段
３１０  移動時刻認定手段
３１１  グループ特定情報記憶手段
【図１】
2006318294.tif 000007
【図２】
2006318294.tif 000008
【図３】
2006318294.tif 000009
【図４】
2006318294.tif 000010
【図５】
2006318294.tif 000011
【図６】
2006318294.tif 000012
【図７】
2006318294.tif 000013
【図８】
2006318294.tif 000014
【図９】
2006318294.tif 000015
【図１０】
2006318294.tif 000016
【図１１】
2006318294.tif 000017
【図１２】
2006318294.tif 000018
【図１３】
2006318294.tif 000019
【図１４】
2006318294.tif 000020
【図１５】
2006318294.tif 000021
【図１６】
2006318294.tif 000022
【図１７】
2006318294.tif 000023
【図１８】
2006318294.tif 000024
【図１９】
2006318294.tif 000025
【図２０】
2006318294.tif 000026
【図２１】
2006318294.tif 000027